(57)【特許請求の範囲】
【請求項１】
無線接続システムでエネルギー節約（ＥＳ）補償セルを決定する方法であって、前記方法は、
第１の基地局（ＢＳ）によって、複数の第２のＢＳに、前記複数の第２のＢＳの各々がＥＳ補償状態への転換が可能であるか否かを決定するためにＥＳ補償候補要請メッセージを伝送することと、
前記第１のＢＳによって、前記複数の第２のＢＳの各々から、前記複数の第２のＢＳの各々が前記ＥＳ補償状態に転換することを示すＥＳ補償候補応答メッセージを受信することと、
前記第１のＢＳによって、前記複数の第２のＢＳの各々から、追加的にＥＳ状態に転換する第３のＢＳに関する情報を含むＥＳ候補セル指示子メッセージを受信することと、
前記第１のＢＳによって、前記第３のＢＳに関する情報及び前記ＥＳ補償候補応答メッセージの各々に基づいて前記複数の第２のＢＳの中から前記ＥＳ補償セルを決定することと
を含み、
前記ＥＳ補償セルは、前記複数の第２のＢＳのうち、前記ＥＳ状態に転換しようとする最も多くの第３のＢＳを有する第２のＢＳであり、
前記第１のＢＳ及び前記第３のＢＳは、前記ＥＳ状態に転換するオン・オフセルであり、前記複数の第２のＢＳのうちの１つの第２のＢＳは、前記ＥＳ補償セルである、方法。
【請求項２】
前記第１のＢＳによって、前記決定されたＥＳ補償セルを示すためにＥＳ補償状態転換時点を示すタイマー情報、前記ＥＳ補償セルの電力制御のために必要な電力パラメータ、及び一つ以上の前記第３のＢＳを示すＥＳ状態セルリストを含むＥＳ補償セル指示子メッセージを伝送することと、
前記第１のＢＳによって、前記ＥＳ補償セルから、前記ＥＳ補償状態への転換の完了を示すＥＳ補償完了指示子メッセージを受信することと、
前記第１のＢＳによって、前記ＥＳ補償完了指示子メッセージを受信した後、前記ＥＳ状態に転換することと
をさらに含む、請求項１に記載の方法。
【請求項３】
前記ＥＳ補償完了指示子メッセージは、ＥＳ状態転換時点を示す前記タイマー情報を含み、
前記第１のＢＳは、前記タイマー情報の満了前に前記ＥＳ状態に転換する、請求項２に記載の方法。
【請求項４】
前記第１のＢＳによって、前記ＥＳ補償完了指示子メッセージを受信した後、前記第１のＢＳのセル領域内の一つ以上のユーザー端末（ＵＥ）に前記ＥＳ補償セルへのハンドオーバーを行うように指示するＥＳ状態転換メッセージを伝送することをさらに含む、請求項２に記載の方法。
【請求項５】
前記ＥＳ候補セル指示子メッセージは、追加的に前記ＥＳ補償状態に転換する一つ以上の第４のＢＳを示すＥＳ補償セルリストをさらに含み、
前記第１のＢＳは、前記ＥＳ状態セルリスト及び前記ＥＳ補償セルリストに基づいて前記ＥＳ補償セルを決定する、請求項２に記載の方法。
【請求項６】
前記第１のＢＳ、前記複数の第２のＢＳ、前記第３のＢＳ及び前記一つ以上の第４のＢＳは、一つのスモールセルクラスター内に含まれたスモールセルである、請求項５に記載の方法。
【請求項７】
前記複数の第２のＢＳは、前記第１のＢＳに隣近するＢＳであり、
前記第３のＢＳは、前記複数の第２のＢＳに隣近するＢＳであり、
前記一つ以上の第４のＢＳは、前記第３のＢＳに隣近するＢＳである、請求項５に記載の方法。
【請求項８】
無線接続システムでエネルギー節約（ＥＳ）補償セルを決定するための第１の基地局（ＢＳ）であって、前記第１のＢＳは、
送信機と、
受信機と、
前記ＥＳ補償セルを決定するように構成されたプロセッサと
を含み、
前記プロセッサは、
前記送信機を制御することによって、複数の第２のＢＳに、前記複数の第２のＢＳの各々がＥＳ補償状態への転換が可能であるか否かを決定するためにＥＳ補償候補要請メッセージを伝送することと、
前記受信機を制御することによって、前記複数の第２のＢＳの各々から、前記複数の第２のＢＳの各々が前記ＥＳ補償状態に転換することを示すＥＳ補償候補応答メッセージを受信することと、
前記受信機を制御することによって、前記複数の第２のＢＳの各々から、追加的にＥＳ状態に転換する第３のＢＳに関する情報を含むＥＳ候補セル指示子メッセージを受信することと、
前記第３のＢＳに関する情報及び前記ＥＳ補償候補応答メッセージの各々に基づいて前記複数の第２のＢＳの中から前記ＥＳ補償セルを決定することと
を実行するように構成され、
前記ＥＳ補償セルは、前記複数の第２のＢＳのうち、前記ＥＳ状態に転換しようとする最も多くの第３のＢＳを有する第２のＢＳであり、
前記第１のＢＳ及び前記第３のＢＳは、前記ＥＳ状態に転換するオン・オフセルであり、前記複数の第２のＢＳのうちの１つの第２のＢＳは、前記ＥＳ補償セルである、第１のＢＳ。
【請求項９】
前記プロセッサは、
前記送信機を制御することによって、前記決定されたＥＳ補償セルを示すためにＥＳ補償状態転換時点を示すタイマー情報、前記ＥＳ補償セルの電力制御のために必要な電力パラメータ、及び一つ以上の前記第３のＢＳを示すＥＳ状態セルリストを含むＥＳ補償セル指示子メッセージを伝送することと、
前記受信機を制御することによって、前記ＥＳ補償セルから、前記ＥＳ補償状態への転換の完了を示すＥＳ補償完了指示子メッセージを受信することと
を実行するようにさらに構成され、
前記第１のＢＳは、前記ＥＳ補償完了指示子メッセージを受信した後、前記ＥＳ状態に転換する、請求項８に記載の第１のＢＳ。
【請求項１０】
前記ＥＳ補償完了指示子メッセージは、ＥＳ状態転換時点を示す前記タイマー情報を含み、
前記第１のＢＳは、前記タイマー情報の満了前に前記ＥＳ状態に転換する、請求項９に記載の第１のＢＳ。
【請求項１１】
前記プロセッサは、前記ＥＳ補償完了指示子メッセージを受信した後、前記第１のＢＳのセル領域内の一つ以上のユーザー端末（ＵＥ）に前記ＥＳ補償セルへのハンドオーバーを行うように指示するＥＳ状態転換メッセージを伝送するように構成される、請求項９に記載の第１のＢＳ。
【請求項１２】
前記ＥＳ候補セル指示子メッセージは、追加的に前記ＥＳ補償状態に転換する一つ以上の第４のＢＳを示すＥＳ補償セルリストをさらに含み、
前記第１のＢＳは、前記ＥＳ状態セルリスト及び前記ＥＳ補償セルリストに基づいて前記ＥＳ補償セルを決定する、請求項９に記載の第１のＢＳ。
【請求項１３】
前記第１のＢＳ、前記複数の第２のＢＳ、前記第３のＢＳ及び前記一つ以上の第４のＢＳは、一つのスモールセルクラスター内に含まれたスモールセルである、請求項１２に記載の第１のＢＳ。
【請求項１４】
前記複数の第２のＢＳは、前記第１のＢＳに隣近するＢＳであり、
前記第３のＢＳは、前記複数の第２のＢＳに隣近するＢＳであり、
前記一つ以上の第４のＢＳは、前記第３のＢＳに隣近するＢＳである、請求項１２に記載の第１のＢＳ。
【発明の詳細な説明】
【技術分野】
【０００１】
本発明は、スモールセル基盤の無線接続システムに関し、特に、スモールセルを動的にオン・オフにする場合、オン・オフにするスモールセルに対するエネルギー節約補償セルを決定する方法及び装置に関する。
【背景技術】
【０００２】
無線接続システムは、音声やデータなどの多様な種類の通信サービスを提供するために広範囲に展開されている。一般に、無線接続システムは、可用なシステム資源（帯域幅、伝送パワーなど）を共有し、多重ユーザーとの通信をサポートできる多重接続（ｍｕｌｔｉｐｌｅ  ａｃｃｅｓｓ）システムである。多重接続システムの各例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
最近、各無線接続システムは、多様な形態の小さいサイズの各スモールセル（Ｓｍａｌｌ  Ｃｅｌｌ：例えば、マイクロセル（Ｍｉｃｒｏ  Ｃｅｌｌ）、ピコセル（Ｐｉｃｏ  Ｃｅｌｌ）、フェムトセル（Ｆｅｍｔｏ  ｃｅｌｌ）など）が相対的に大きいサイズのマクロセル（Ｍａｃｒｏ  Ｃｅｌｌ）と連動する形態に無線接続網構造が変化している。これは、従来のマクロセルが基本的に関与する垂直的な層の多層セルが混在する状況で最終ユーザー端末（ＵＥ：Ｕｓｅｒ  Ｅｑｕｉｐｍｅｎｔ）の観点では、高いデータ伝送率を受けることによって、体感品質（ＱｏＥ：Ｑｕａｌｉｔｙ  ｏｆ  Ｅｘｐｅｒｉｅｎｃｅ）を増進することを目的とする。
【０００４】
現在、３ＧＰＰ（３ｒｄ  Ｇｅｎｅｒａｔｉｏｎ  Ｐａｒｔｎｅｒｓｈｉｐ  Ｐｒｏｊｅｃｔ）標準化範疇のうち一つであるＥ―ＵＴＲＡ及びＥ―ＵＴＲＡＮ  ＳＩのためのスモールセル向上（Ｓｍａｌｌ  Ｃｅｌｌ  Ｅｎｈａｎｃｅｍｅｎｔｓ  ｆｏｒ  Ｅ―ＵＴＲＡ  ａｎｄ  Ｅ―ＵＴＲＡＮ  ＳＩ；ｅ．ｇ．、ＲＰ―１２２０３３文書参照）によると、各低電力ノード（Ｌｏｗ  Ｐｏｗｅｒ  Ｎｏｄｅ）を使用する宅内／外（Ｉｎｄｏｏｒ／Ｏｕｔｄｏｏｒ）の各シナリオを向上させるための論議がスモールセル向上（Ｓｍａｌｌ  Ｃｅｌｌ  Ｅｎｈａｎｃｅｍｅｎｔ）という主題でなされている。また、このための各シナリオと各要求事項が３ＧＰＰ  ＴＲ  ３６．９３２規格に記述されている。
【０００５】
このようなトレンドを考慮すると、今後、多数のスモールセルがマクロセル内に配置されることによって、各最終ＵＥは、ネットワークに物理的により近く位置するようになる。したがって、次世代無線接続網では、従来のような物理的セル基盤の通信ではなく、ＵＥ中心のゾーン（Ｚｏｎｅ）を介した通信が可能になると予想される。このような容量増進のためのＵＥ中心のゾーンを介した通信がなされるためには、今までの物理的セルなどのサービス提供単位とは差別化されるＵＥ中心のゾーンなどのサービス提供単位を具現するための技術的なイシューが導出・解決されなければならない。
【０００６】
また、このようなスモールセルの登場は、現在の遠距離通信網（ＲＡＮ：Ｒｅｍｏｔｅ  Ａｒｅａ  Ｎｅｔｗｏｒｋ）に大きな影響を及ぼし得る。特に、エネルギー節約の観点で、スモールセルのオン・オフ特性はマクロセルの配置に影響を及ぼし得る。
【発明の概要】
【発明が解決しようとする課題】
【０００７】
本発明の目的は、スモールセル環境でスモールセルの電力を効率的に管理する方法を提供することにある。
【０００８】
本発明の他の目的は、オン・オフセルを動的にオン又はオフにする場合、オン・オフセルのカバレッジを補償するための補償セルを決定する各方法を提供することにある。
【０００９】
本発明の更に他の目的は、スモールセルのオン・オフ時における電力の増減により、隣近セルに発生する干渉を最小化する方法を提供することにある。
【００１０】
本発明の更に他の目的は、上述した各方法をサポートする各装置を提供することにある。
【００１１】
本発明で達成しようとする技術的目的は、以上で言及した各事項に制限されなく、言及していない更に他の技術的課題は、以下で説明する本発明の各実施例から本発明の属する技術分野で通常の知識を有する者によって考慮することができる。
【課題を解決するための手段】
【００１２】
本発明は、スモールセル基盤の無線接続システムに関し、特に、スモールセルを動的にオン・オフにする場合、オン・オフにするスモールセルに対するエネルギー節約補償セルを決定する方法及び装置に関する。
【００１３】
本発明の一様態として、無線接続システムでエネルギー節約（ＥＳ）補償セルを決定する方法は、第１の基地局から第２の基地局にＥＳ補償状態への転換が可能であるか否かを確認するためにＥＳ補償候補要請メッセージを伝送すること、第２の基地局からＥＳ補償状態に転換することを示すＥＳ補償候補応答メッセージを受信すること、第２の基地局から追加的にＥＳ状態に転換する各第３の基地局を示すＥＳ状態セルリストを含むＥＳ候補セル指示子メッセージを受信すること、及びＥＳ補償候補応答メッセージ及びセルリストを基盤にしてＥＳ補償セルを決定することを含むことができる。このとき、第１の基地局は、ＥＳ状態に転換するオン・オフセルである。
【００１４】
前記方法は、第１の基地局が決定したＥＳ補償セルを知らせるためにＥＳ補償状態に進入する時点を示すタイマー情報を含むＥＳ補償セル指示子メッセージを伝送すること、第１の基地局がＥＳ補償セルからＥＳ補償状態への転換を完了したことを示すＥＳ補償完了指示子メッセージを受信すること、及び第１の基地局がＥＳ補償完了指示子メッセージを受信した後、第１の基地局をＥＳ状態に転換することをさらに含むことができる。
【００１５】
このとき、ＥＳ補償完了指示子メッセージは、ＥＳ状態に進入する時点を示すタイマー情報を含み、第１の基地局は、タイマー情報が満了する前に前記ＥＳ状態に転換することができる。
【００１６】
また、第１の基地局は、ＥＳ補償完了指示子メッセージを受信した後、第１の基地局のセル領域に属した一つ以上の端末にＥＳ補償セルにハンドオーバーを行うように指示するＥＳ状態転換メッセージを伝送することができる。
【００１７】
また、ＥＳ候補セル指示子メッセージは、追加的にＥＳ補償状態に転換する一つ以上の第４の基地局を示すＥＳ補償セルリストをさらに含み、第１の基地局は、ＥＳ状態セルリスト及びＥＳ補償セルリストを基盤にしてＥＳ補償セルを決定することができる。
【００１８】
このとき、第１の基地局、第２の基地局、第３の基地局及び第４の基地局は、一つのスモールセルクラスター内に含まれた各スモールセルであり得る。本発明の各実施例において、スモールセルクラスターとは、それぞれのトラフィック密集領域（例えば、ホットスポット（Ｈｏｔｓｐｏｔ））をカバーする各スモールセルのグループと定義することができる。
【００１９】
又は、第２の基地局は第１の基地局の隣近基地局で、第３の基地局は第２の基地局の隣近基地局で、第４の基地局は第３基地局の隣近基地局であり得る。
【００２０】
本発明の他の様態として、無線接続システムでエネルギー節約（ＥＳ）補償セルを決定するための第１の基地局は、送信機、受信機及びＥＳ補償セルを決定するためのプロセッサを含むことができる。
【００２１】
このとき、プロセッサは、第２の基地局にＥＳ補償状態への転換が可能であるか否かを確認するためにＥＳ補償候補要請メッセージを送信機を制御して伝送し、第２の基地局からＥＳ補償状態に転換することを示すＥＳ補償候補応答メッセージを受信機を制御して受信し、第２の基地局から追加的にＥＳ状態に転換する各第３の基地局を示すＥＳ状態セルリストを含むＥＳ候補セル指示子メッセージを受信機を制御して受信し、ＥＳ補償候補応答メッセージ及びセルリストを基盤にしてＥＳ補償セルを決定するように構成することができる。第１の基地局は、ＥＳ状態に転換するオン・オフセルであり得る。
【００２２】
前記プロセッサは、プロセッサが決定した前記ＥＳ補償セルを知らせるために送信機を制御し、ＥＳ補償状態に進入する時点を示すタイマー情報を含むＥＳ補償セル指示子メッセージを伝送し、ＥＳ補償セルからＥＳ補償状態への転換を完了したことを示すＥＳ補償完了指示子メッセージを受信機を制御して受信し、ＥＳ補償完了指示子メッセージを受信した後、ＥＳ状態に転換するように構成することができる。
【００２３】
このとき、ＥＳ補償完了指示子メッセージは、ＥＳ状態に進入する時点を示すタイマー情報を含み、第１の基地局は、タイマー情報が満了する前にＥＳ状態に転換することができる。
【００２４】
このとき、プロセッサは、ＥＳ補償完了指示子メッセージを受信した後、第１の基地局のセル領域に属した一つ以上の端末にＥＳ補償セルにハンドオーバーを行うように指示するＥＳ状態転換メッセージを伝送するようにさらに構成することができる。
【００２５】
また、ＥＳ候補セル指示子メッセージは、追加的にＥＳ補償状態に転換する一つ以上の第４の基地局を示すＥＳ補償セルリストをさらに含み、第１の基地局は、ＥＳ状態セルリスト及びＥＳ補償セルリストを基盤にしてＥＳ補償セルを決定することができる。
【００２６】
このとき、第１の基地局、第２の基地局、第３の基地局及び第４の基地局は、一つのスモールセルクラスター内に含まれた各スモールセルであり得る。
【００２７】
又は、第２の基地局は第１の基地局の隣近基地局で、第３の基地局は第２の基地局の隣近基地局で、第４の基地局は第３の基地局の隣近基地局であり得る。
本明細書は、例えば、以下の項目も提供する。
（項目１）
無線接続システムでエネルギー節約（ＥＳ）補償セルを決定する方法において、
第１の基地局から第２の基地局にＥＳ補償状態への転換が可能であるか否かを確認するためにＥＳ補償候補要請メッセージを伝送すること；
前記第２の基地局から前記ＥＳ補償状態に転換することを示すＥＳ補償候補応答メッセージを受信すること；
前記第２の基地局から追加的にＥＳ状態に転換する各第３の基地局を示すＥＳ状態セルリストを含むＥＳ候補セル指示子メッセージを受信すること；及び
前記ＥＳ補償候補応答メッセージ及び前記セルリストを基盤にして前記ＥＳ補償セルを決定すること；を含み、
前記第１の基地局は、前記ＥＳ状態に転換するオン・オフセルである、ＥＳ補償セル決定方法。
（項目２）
前記第１の基地局が決定した前記ＥＳ補償セルを知らせるために、ＥＳ補償状態に進入する時点を示すタイマー情報を含むＥＳ補償セル指示子メッセージを伝送すること；
前記第１の基地局が前記ＥＳ補償セルからＥＳ補償状態への転換を完了したことを示すＥＳ補償完了指示子メッセージを受信すること；及び
前記第１の基地局が前記ＥＳ補償完了指示子メッセージを受信した後、前記第１の基地局を前記ＥＳ状態に転換すること；をさらに含む、項目１に記載のＥＳ補償セル決定方法。
（項目３）
前記ＥＳ補償完了指示子メッセージは、前記ＥＳ状態に進入する時点を示すタイマー情報を含み、
前記第１の基地局は、前記タイマー情報が満了する前に前記ＥＳ状態に転換する、項目２に記載のＥＳ補償セル決定方法。
（項目４）
前記第１の基地局は、前記ＥＳ補償完了指示子メッセージを受信した後、前記第１の基地局のセル領域に属した一つ以上の端末に前記ＥＳ補償セルにハンドオーバーを行うように指示するＥＳ状態転換メッセージを伝送することをさらに含む、項目２に記載のＥＳ補償セル決定方法。
（項目５）
前記ＥＳ候補セル指示子メッセージは、追加的にＥＳ補償状態に転換する一つ以上の第４の基地局を示すＥＳ補償セルリストをさらに含み、
前記第１の基地局は、前記ＥＳ状態セルリスト及び前記ＥＳ補償セルリストを基盤にして前記ＥＳ補償セルを決定する、項目２に記載のＥＳ補償セル決定方法。
（項目６）
前記第１の基地局、前記第２の基地局、前記第３の基地局及び前記第４の基地局は、一つのスモールセルクラスター内に含まれた各スモールセルである、項目５に記載のＥＳ補償セル決定方法。
（項目７）
前記第２の基地局は、前記第１の基地局の隣近基地局で、
前記第３の基地局は、前記第２の基地局の隣近基地局で、
前記第４の基地局は、前記第３の基地局の隣近基地局である、項目５に記載のＥＳ補償セル決定方法。
（項目８）
無線接続システムでエネルギー節約（ＥＳ）補償セルを決定するための第１の基地局において、
送信機；
受信機；及び
前記ＥＳ補償セルを決定するためのプロセッサ；を含み、
前記プロセッサは、
第２の基地局にＥＳ補償状態への転換が可能であるか否かを確認するためにＥＳ補償候補要請メッセージを前記送信機を制御して伝送し、
前記第２の基地局から前記ＥＳ補償状態に転換することを示すＥＳ補償候補応答メッセージを前記受信機を制御して受信し、
前記第２の基地局から追加的にＥＳ状態に転換する各第３の基地局を示すＥＳ状態セルリストを含むＥＳ候補セル指示子メッセージを前記受信機を制御して受信し、
前記ＥＳ補償候補応答メッセージ及び前記セルリストを基盤にして前記ＥＳ補償セルを決定するように構成され、
前記第１の基地局は、前記ＥＳ状態に転換するオン・オフセルである、第１の基地局。
（項目９）
前記プロセッサが決定した前記ＥＳ補償セルを知らせるために、前記プロセッサは、
前記送信機を制御し、ＥＳ補償状態に進入する時点を示すタイマー情報を含むＥＳ補償セル指示子メッセージを伝送し、
前記ＥＳ補償セルからＥＳ補償状態への転換を完了したことを示すＥＳ補償完了指示子メッセージを前記受信機を制御して受信し、
前記ＥＳ補償完了指示子メッセージを受信した後、前記ＥＳ状態に転換するように構成される、項目８に記載の第１の基地局。
（項目１０）
前記ＥＳ補償完了指示子メッセージは、前記ＥＳ状態に進入する時点を示すタイマー情報を含み、
前記第１の基地局は、前記タイマー情報が満了する前に前記ＥＳ状態に転換する、項目９に記載の第１の基地局。
（項目１１）
前記プロセッサは、前記ＥＳ補償完了指示子メッセージを受信した後、前記第１の基地局のセル領域に属した一つ以上の端末に前記ＥＳ補償セルにハンドオーバーを行うように指示するＥＳ状態転換メッセージを伝送するようにさらに構成される、項目９に記載の第１の基地局。
（項目１２）
前記ＥＳ候補セル指示子メッセージは、追加的にＥＳ補償状態に転換する一つ以上の第４の基地局を示すＥＳ補償セルリストをさらに含み、
前記第１の基地局は、前記ＥＳ状態セルリスト及び前記ＥＳ補償セルリストを基盤にして前記ＥＳ補償セルを決定する、項目９に記載の第１の基地局。
（項目１３）
前記第１の基地局、前記第２の基地局、前記第３の基地局及び前記第４の基地局は、一つのスモールセルクラスター内に含まれた各スモールセルである、項目１２に記載の第１の基地局。
（項目１４）
前記第２の基地局は、前記第１の基地局の隣近基地局で、
前記第３の基地局は、前記第２の基地局の隣近基地局で、
前記第４の基地局は、前記第３の基地局の隣近基地局である、項目１２に記載の第１の基地局。
【００２８】
上述した本発明の各様態は、本発明の好ましい各実施例のうち一部に過ぎなく、本願発明の各技術的特徴が反映された多様な実施例が当該技術分野の通常的な知識を有する者によって、後述する本発明の詳細な説明を基盤にして導出・理解され得る。
【発明の効果】
【００２９】
本発明の各実施例によると、次のような効果がある。
【００３０】
第一に、スモールセル環境でスモールセルの電力を効率的に管理することができる。
【００３１】
第二に、スモールセル環境でオン・オフセルを動的にオン又はオフにする場合、オン・オフセルのカバレッジを補償するための補償セルを効率的に決定することができる。
【００３２】
第三に、スモールセルのオン・オフ時における電力の増減により、隣近セルに発生する干渉を最小化することができる。
【００３３】
本発明の各実施例で得られる効果は、以上で言及した各効果に制限されず、言及していない更に他の効果は、以下の本発明の各実施例に対する記載から本発明の属する技術分野で通常の知識を有する者に明確に導出・理解され得る。すなわち、本発明の実施による意図していない各効果も、本発明の各実施例から当該技術分野で通常の知識を有する者によって導出され得る。
【図面の簡単な説明】
【００３４】
本発明に関する理解を促進するために詳細な説明の一部として含まれる添付の各図面は、本発明に対する多様な実施例を提供する。また、添付の各図面は、詳細な説明と共に、本発明の各実施形態を説明するために使用される。
【図１】Ｅ―ＵＭＴＳのネットワーク構造を示す図である。
【図２】Ｅ―ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のネットワーク構造を示す図である。
【図３】３ＧＰＰ無線接続網規格を基盤にした端末とＥ―ＵＴＲＡＮとの間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザー平面（Ｕ―Ｐｌａｎｅ、Ｕｓｅｒ―Ｐｌａｎｅ）構造を示す図である。
【図４】異機種ネットワーク配置の一例を示す図である。
【図５】エネルギー節約目的の多様な処理容量要求によるネットワーク配置の一例を示す図であって、特に、（ａ）は、ピークトラフィック（Ｐｅａｋ  ｔｒａｆｆｉｃ）環境を示し、（ｂ）は、オフピークトラフィック（Ｏｆｆ―ｐｅａｋ  ｔｒａｆｆｉｃ）環境を示す。
【図６】ワンステップ電力調節方法としてオン・オフセルが補償セルを決定する方法のうち一つを示す図である。
【図７】ワンステップ電力調節方法としてオン・オフセルが補償セルを決定する方法のうち他の一つを示す図である。
【図８】スモールセルクラスター構造の一例を示す図である。
【図９】マルチステップ電力調節方法としてオン・オフセルが補償セルを決定する方法のうち一つを示す図である。
【図１０】マルチステップ電力調節方法としてオン・オフセルが補償セルを決定する方法のうち他の一つを示す図である。
【図１１】マルチステップ電力調節方法としてオン・オフセルが補償セルを決定する方法のうち更に他の一つを示す図である。
【図１２】マルチステップ電力調節方法としてオン・オフセルが補償セルを決定する方法のうち更に他の一つを示す図である。
【図１３】端末と基地局に対する装置構成を示した図である。
【発明を実施するための形態】
【００３５】
本発明の各実施例は、スモールセル基盤のネットワークシステムでスモールセルに対する電力を動的に制御する方法及び装置に関する。
【００３６】
以下の各実施例は、本発明の各構成要素と各特徴を所定形態で結合したものである。各構成要素又は特徴は、別途の明示的な言及がない限り、選択的なものとして考慮することができる。各構成要素又は特徴は、他の構成要素や特徴と結合されない形態で実施することができる。また、一部の構成要素及び／又は特徴を結合して本発明の実施例を構成することもできる。本発明の各実施例で説明する各動作の順序は変更可能である。いずれかの実施例の一部の構成や特徴は、他の実施例に含ませることができ、又は、他の実施例の対応する構成又は特徴に取り替えることができる。
【００３７】
図面に対する説明において、本発明の要旨を不明瞭にし得る手順又は段階などは記述しておらず、当業者の水準で理解可能な程度の手順又は段階も記述していない。
【００３８】
明細書全体において、いずれかの部分がいずれかの構成要素を「含む（ｃｏｍｐｒｉｓｉｎｇ又はｉｎｃｌｕｄｉｎｇ）」とするとき、これは、特別に反対の記載がない限り、他の構成要素を除外するのではなく、他の構成要素をさらに含み得ることを意味する。また、明細書に記載した「…部」、「…器」、「モジュール」などの用語は、少なくとも一つの機能や動作を処理する単位を意味し、これは、ハードウェアやソフトウェア、又はハードウェアとソフトウェアの結合で具現することができる。また、「一（ａ又はａｎ）」、「一つ（ｏｎｅ）」、「その（ｔｈｅ）」及び類似関連語は、本発明を記述する文脈において（特に、以下の請求項の文脈で）、本明細書に別途に指示されたり、文脈によって明らかに反駁されない限り、単数及び複数を全て含む意味で使用することができる。
【００３９】
本明細書において、本発明の各実施例は、基地局と移動局との間のデータ送受信関係を中心に説明した。ここで、基地局は、端末と直接通信を行うネットワークの終端ノード（ｔｅｒｍｉｎａｌ  ｎｏｄｅ）としての意味を有する。本文書において、基地局によって行われると説明した特定動作は、場合に応じては、基地局の上位ノード（ｕｐｐｅｒ  ｎｏｄｅ）によって行うこともできる。
【００４０】
すなわち、基地局を含む多数のネットワークノード（ｎｅｔｗｏｒｋ  ｎｏｄｅｓ）からなるネットワークで端末との通信のために行われる多様な動作は、基地局又は基地局以外の他のネットワークノードによって行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に取り替えることができる。
【００４１】
また、端末という用語は、移動局（ＭＳ：Ｍｏｂｉｌｅ  Ｓｔａｔｉｏｎ）、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に取り替えることができる。
【００４２】
また、送信端は、データサービス又は音声サービスを提供する固定及び／又は移動ノードを意味し、受信端は、データサービス又は音声サービスを受信する固定及び／又は移動ノードを意味する。したがって、アップリンクでは、端末が送信端になり、基地局が受信端になり得る。同様に、ダウンリンクでは、端末が受信端になり、基地局が送信端になり得る。
【００４３】
本発明の各実施例は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術（ｒａｄｉｏ  ｔｅｃｈｎｏｌｏｇｙ）で具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などの無線技術で具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２―２０、Ｅ―ＵＴＲＡ（Ｅｖｏｌｖｅｄ  ＵＴＲＡ）などの無線技術で具現することができる。
【００４４】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。ＵＭＴＳは、ヨーロッパシステム基盤の広帯域コード分割多重接続（ＷＣＤＭＡ（登録商標））、移動通信用グローバルシステム（ＧＳＭ（登録商標））及び一般パケット無線サービス（ＧＰＲＳ）で動作する３世代（３Ｇ）非同期式移動通信システムである。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ―ＵＴＲＡ（Ｅｖｏｌｖｅｄ  ＵＴＲＡ）を使用するＥ―ＵＭＴＳ（Ｅｖｏｌｖｅｄ  ＵＭＴＳ）の一部であって、ダウンリンクでＯＦＤＭＡを採用し、アップリンクでＳＣ―ＦＤＭＡを採用する。ＬＴＥ―Ａ（Ａｄｖａｎｃｅｄ）は、３ＧＰＰ  ＬＴＥの進化されたバージョンである。
【００４５】
本発明の各技術的特徴を明確に説明するために、３ＧＰＰ  ＬＴＥ／ＬＴＥ―Ａシステムを中心に説明するが、本発明の各技術的特徴がこれに制限されることはない。また、本発明の各実施例で使用される特定用語は、本発明の理解を促進するために提供されたものであって、このような特定用語の使用は、本発明の技術的特徴から逸脱しない範囲で他の形態に変更可能である。
【００４６】
例えば、本発明の各実施例で説明する「セル」は、基本的な各ダウンリンク資源（Ｄｏｗｎｌｉｎｋ  Ｒｅｓｏｕｒｃｅ）と選択的な各アップリンク資源（Ｕｐｌｉｎｋ  Ｒｅｓｏｕｒｃｅ）との組み合わせで構成することができる。このとき、各ダウンリンク資源のための搬送波周波数（Ｃａｒｒｉｅｒ  Ｆｒｅｑｕｅｎｃｙ）と各アップリンク資源のための搬送波周波数との間の連係（Ｌｉｎｋｉｎｇ）は、各ダウンリンク資源に伝達されるシステム情報（ＳＩ：Ｓｙｓｔｅｍ  Ｉｎｆｏｒｍａｔｉｏｎ）に明示される。
【００４７】
また、スモールセルクラスターとは、それぞれのトラフィック密集領域（例えば、ホットスポット）をカバーする各スモールセルのグループと定義することができる。
【００４８】
また、同一の名前を有する各メッセージは、別途の定義がない限り、同一のメッセージフォーマットを有して同一の機能を行う各フィールド又は各パラメーターで構成される。
【００４９】
１．３ＧＰＰ  ＬＴＥ／ＬＴＥ―Ａシステム
１．１  ＬＴＥ／ＬＴＥ―Ａネットワーク構造
以下では、本発明の各実施例が使用され得る３ＧＰＰ  ＬＴＥ／ＬＴＥ―Ａシステムで使用可能なネットワーク構造に対して説明する。
【００５０】
図１は、Ｅ―ＵＭＴＳのネットワーク構造を示す図である。
【００５１】
Ｅ―ＵＭＴＳシステムは、ＷＣＤＭＡ（登録商標）  ＵＭＴＳシステムから進化したシステムであって、３ＧＰＰ（３ｒｄ  Ｇｅｎｅｒａｔｉｏｎ  Ｐａｒｔｎｅｒｓｈｉｐ  Ｐｒｏｊｅｃｔ）で基礎的な標準化作業を進めている。Ｅ―ＵＭＴＳは、ＬＴＥ（Ｌｏｎｇ  Ｔｅｒｍ  Ｅｖｏｌｕｔｉｏｎ）システムと称することもある。ＵＭＴＳ及びＥ―ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【００５２】
図１を参照すると、Ｅ―ＵＭＴＳは、大きく分けて、端末（Ｕｓｅｒ  Ｅｑｕｉｐｍｅｎｔ；ＵＥ）、基地局、及びネットワーク（Ｅ―ＵＴＲＡＮ）の終端に位置して外部ネットワークと連結される接続ゲートウェイ（Ａｃｃｅｓｓ  Ｇａｔｅｗａｙ；ＡＧ）で構成される。通常、基地局は、ブロードキャストサービス、マルチキャストサービス及び／又はユニキャストサービスのために多重データストリームを同時に送信することができる。ＡＧは、ユーザートラフィック処理を担当する部分と、制御用トラフィックを処理する部分とに分けることもできる。このとき、新たなユーザートラフィック処理のためのＡＧと、制御用トラフィックを処理するＡＧとの間で新たなインターフェースを使用して互いに通信することができる。一つのｅＮＢには、一つ以上のセル（ｃｅｌｌ）が存在する。ｅＮＢ間では、ユーザートラフィック又は制御トラフィック伝送のためのインターフェースを使用することができる。ＣＮ（Ｃｏｒｅ  Ｎｅｔｗｏｒｋ）は、ＡＧ、及びＵＥのユーザー登録などのためのネットワークノードなどで構成することができる。Ｅ―ＵＴＲＡＮとＣＮを区分するためのインターフェースを使用することができる。ＡＧは、ＴＡ（Ｔｒａｃｋｉｎｇ  Ａｒｅａ）単位で端末の移動性を管理する。ＴＡは、複数のセルで構成され、端末は、特定ＴＡから他のＴＡに移動する場合、ＡＧに自身が位置したＴＡが変更されたことを知らせる。
【００５３】
図２は、Ｅ―ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のネットワーク構造を示す図である。
【００５４】
Ｅ―ＵＴＲＡＮシステムは、既存のＵＴＲＡＮシステムから進化したシステムである。Ｅ―ＵＴＲＡＮは各基地局（ｅＮＢ）で構成され、各ｅＮＢはＸ２インターフェースを介して連結される。Ｘ２ユーザー平面インターフェース（Ｘ２―Ｕ）は各ｅＮＢ間で定義される。Ｘ２―Ｕインターフェースは、ユーザー平面ＰＤＵの非保障伝達（ｎｏｎ  ｇｕａｒａｎｔｅｅｄ  ｄｅｌｉｖｅｒｙ）を提供する。Ｘ２制御平面インターフェース（Ｘ２―ＣＰ）は、二つの隣接ｅＮＢ間で定義される。Ｘ２―ＣＰは、ｅＮＢ間のコンテキスト（ｃｏｎｔｅｘｔ）伝達、ソースｅＮＢとターゲットｅＮＢとの間のユーザー平面トンネルの制御、ハンドオーバー関連メッセージの伝達、アップリンク負荷管理などの機能を行う。
【００５５】
ｅＮＢは、無線インターフェースを介して端末と連結され、Ｓ１インターフェースを介してＥＰＣ（Ｅｖｏｌｖｅｄ  Ｐａｃｋｅｔ  Ｃｏｒｅ）に連結される。Ｓ１ユーザー平面インターフェース（Ｓ１―Ｕ）は、ｅＮＢとＳ―ＧＷ（Ｓｅｒｖｉｎｇ  Ｇａｔｅｗａｙ）との間で定義される。Ｓ１制御平面インターフェース（Ｓ１―ＭＭＥ）は、ｅＮＢとＭＭＥ（Ｍｏｂｉｌｉｔｙ  Ｍａｎａｇｅｍｅｎｔ  Ｅｎｔｉｔｙ）との間で定義される。Ｓ１インターフェースは、ＥＰＳ（Ｅｖｏｌｖｅｄ  Ｐａｃｋｅｔ  Ｓｙｓｔｅｍ）ベアラサービス管理機能、ＮＡＳ（Ｎｏｎ―Ａｃｃｅｓｓ  Ｓｔｒａｔｕｍ）シグナリングトランスポート機能、ネットワークシェアリング、ＭＭＥ負荷バランシング機能などを行う。
【００５６】
図３は、３ＧＰＰ無線接続網規格を基盤にした端末とＥ―ＵＴＲＡＮとの間の無線インターフェースプロトコルの制御平面及びユーザー平面構造を示す図である。
【００５７】
図３を参照すると、無線インターフェースプロトコルは、水平的に物理層（Ｐｈｙｓｉｃａｌ  Ｌａｙｅｒ）、データリンク層（Ｄａｔａ  Ｌｉｎｋ  Ｌａｙｅｒ）及びネットワーク層（Ｎｅｔｗｏｒｋ  Ｌａｙｅｒ）からなり、垂直的にはデータ情報伝送のためのユーザー平面と、制御信号（Ｓｉｇｎａｌｉｎｇ）伝達のための制御平面とに区分される。図２のプロトコル層は、通信システムで広く知られている開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個の層に基づいてＬ１（第１の層）、Ｌ２（第２の層）及びＬ３（第３の層）に区分することができる。
【００５８】
制御平面は、端末とネットワークがコールを管理するために用いる各制御メッセージが伝送される通路を意味する。ユーザー平面は、アプリケーション層で生成されたデータ、例えば、音声データ又はインターネットパケットデータなどが伝送される通路を意味する。以下、無線プロトコルの制御平面とユーザー平面の各層を説明する。
【００５９】
第１の層である物理層は、物理チャンネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャンネル（Ｔｒａｎｓｐｏｒｔ  Ｃｈａｎｎｅｌ）を介して連結されている。前記伝送チャンネルを介して媒体接続制御層と物理層との間でデータが移動する。送信側と受信側の物理層間では、物理チャンネルを介してデータが移動する。前記物理チャンネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調され、時間と周波数を無線資源として活用する。
【００６０】
第２の層の媒体接続制御（Ｍｅｄｉｕｍ  Ａｃｃｅｓｓ  Ｃｏｎｔｒｏｌ；ＭＡＣ）層は、論理チャンネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性のあるデータ伝送をサポートする。ＲＬＣ層の機能は、ＭＡＣ内部の機能ブロックとして具現することもできる。この場合、ＲＬＣ層は存在しないこともある。第２の層のＰＤＣＰ（Ｐａｃｋｅｔ  Ｄａｔａ  Ｃｏｎｖｅｒｇｅｎｃｅ  Ｐｒｏｔｏｃｏｌ）層は、ＩＰｖ４やＩＰｖ６などのＩＰパケットの伝送時に帯域幅の狭い無線インターフェースで効率的に伝送するために不要な制御情報を減少させるヘッダー圧縮（Ｈｅａｄｅｒ  Ｃｏｍｐｒｅｓｓｉｏｎ）機能を行う。
【００６１】
第３の層の最下部に位置した無線資源制御（Ｒａｄｉｏ  Ｒｅｓｏｕｒｃｅ  Ｃｏｎｔｒｏｌ；ＲＲＣ）層は、制御平面のみで定義され、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャンネル、伝送チャンネル及び物理チャンネルの制御を担当する。ＲＢは、端末とＥ―ＵＴＲＡＮとの間のデータ伝達のために第２の層によって提供されるサービスを意味する。このために、ＲＲＣ層は、端末とネットワークとの間でＲＲＣメッセージを互いに交換する。端末のＲＲＣ層と無線ネットワークのＲＲＣ層との間にＲＲＣ連結（ＲＲＣ  Ｃｏｎｎｅｃｔｅｄ）がある場合、端末はＲＲＣ連結状態（Ｃｏｎｎｅｃｔｅｄ  Ｍｏｄｅ）にあり、そうでない場合、ＲＲＣ休止状態（Ｉｄｌｅ  Ｍｏｄｅ）にある。
【００６２】
ＲＲＣ層の上位にあるＮＡＳ（Ｎｏｎ―Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を行う。
【００６３】
ｅＮＢを構成する一つのセルは、１．２５Ｍｈｚ、２．５Ｍｈｚ、５Ｍｈｚ、１０Ｍｈｚ、２０Ｍｈｚなどの帯域幅のうち一つに設定され、多くの端末にダウンリンク又はアップリンク伝送サービスを提供する。互いに異なるセルは、互いに異なる帯域幅を提供するように設定することができる。
【００６４】
ネットワークから端末にデータを伝送するダウンリンク伝送チャンネルとしては、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザートラフィックや制御メッセージを伝送するダウンリンクＳＣＨ（Ｓｈａｒｅｄ  Ｃｈａｎｎｅｌ）などがある。ダウンリンクマルチキャスト又は放送サービスのトラフィック又は制御メッセージの場合、ダウンリンクＳＣＨを介して伝送されてもよく、又は、別途のダウンリンクＭＣＨ（Ｍｕｌｔｉｃａｓｔ  Ｃｈａｎｎｅｌ）を介して伝送されてもよい。一方、端末からネットワークにデータを伝送するアップリンク伝送チャンネルとしては、初期制御メッセージを伝送するＲＡＣＨ（Ｒａｎｄｏｍ  Ａｃｃｅｓｓ  Ｃｈａｎｎｅｌ）、ユーザートラフィックや制御メッセージを伝送するアップリンクＳＣＨ（Ｓｈａｒｅｄ  Ｃｈａｎｎｅｌ）がある。
【００６５】
伝送チャンネルの上位にあり、伝送チャンネルにマッピングされる論理チャンネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００６６】
１．２  異機種ネットワーク配置（Ｈｅｔｅｒｏｇｅｎｅｏｕｓ  Ｎｅｔｗｏｒｋ  Ｄｅｐｌｏｙｍｅｎｔ）
図４は、異機種ネットワーク配置の一例を示す図である。
【００６７】
次世代移動通信システムでは、マルチメディアなどのデータサービスをより安定的に保障するために、マクロセル基盤の同種網に低電力／近距離通信のためのスモールセルであるマイクロセル、ピコセル、及び／又はフェムトセルが混在した階層的セル構造（ｈｉｅｒａｒｃｈｉｃａｌ  ｃｅｌｌ  ｓｔｒｕｃｔｕｒｅ）あるいは異機種セル構造（Ｈｅｔｅｒｏｇｅｎｅｏｕｓ  Ｃｅｌｌ  Ｓｔｒｕｃｔｕｒｅ）の導入に対する関心が高まっている。
【００６８】
これは、既存の基地局配置に対するマクロセルの追加的な設置は、システム性能の向上に比べて、その費用及び複雑度の面で非効率的であるためである。現在、通信網で考慮中の異機種網の構造は、図４のような形態からなる。
【００６９】
図４において、マクロセルを管理及びカバーする基地局をマクロ基地局（ＭｅＮＢ：Ｍａｃｒｏ  ｅＮｏｄｅＢ）と定義し、マクロ基地局のマクロセル内で動作する端末をマクロ端末（ＭＵＥ：Ｍａｃｒｏ  ＵＥ）と定義する。また、ピコセルを管理及びカバーする基地局をピコ基地局（ＰｅＮＢ：Ｐｉｃｏ  ｅＮｏｄｅＢ）と称し、ピコ基地局のピコセル内でスケジューリングを受ける端末をピコ端末（ＰＵＥ：Ｐｉｃｏ  ＵＥ）と称する。また、フェムトセルを管理及びカバーする基地局をフェムト基地局（ＦｅＮＢ：Ｆｅｍｔｏ  ｅＮｏｄｅＢ）と称し、フェムト基地局からスケジューリングを受ける端末をフェムト端末と称する。
【００７０】
図４を参照すると、一つのマクロセル内には多数のマイクロセルが共存し得る。このとき、各マイクロセルは、セル調整（ｃｅｌｌ  ｃｏｏｒｄｉｎａｔｉｏｎ）方式に従って資源の割り当てを受け、該当の各ＵＥをサービスする。このようなマイクロセルの種類は、接続方式に従って二つの種類に分けられる。
【００７１】
（１）ＯＳＧ（Ｏｐｅｎ  ａｃｃｅｓｓ  Ｓｕｂｓｃｒｉｂｅｒ  Ｇｒｏｕｐ）タイプ：ＯＳＧタイプマイクロセルの場合、既存のマクロＵＥ又は他のマイクロＵＥの接続を許容するセルであって、自身のセル又はマクロセルへのハンドオーバーが可能である。ＯＳＧタイプは、ＮＣＳＧ（Ｎｏｎ  Ｃｌｏｓｅ  ａｃｃｅｓｓ  Ｓｕｂｓｃｒｉｂｅｒ  Ｇｒｏｕｐ）と称することができる。
【００７２】
（２）ＣＳＧ（Ｃｌｏｓｅ  ａｃｃｅｓｓ  Ｓｕｂｓｃｒｉｂｅｒ  Ｇｒｏｕｐ）タイプ：ＣＳＧタイプマイクロセルの場合、既存のマクロ端末又は他のマイクロ端末の接続を認証なしでは許容しないセルを意味する。したがって、自身のセルあるいはマクロ基地局へのハンドオーバーが不可能である。
【００７３】
１．３  エネルギー節約（ＥＳ：Ｅｎｅｒｇｙ  Ｓａｖｉｎｇ）状態
環境保存及び気候変化解決問題などは、私達が今日当面している各問題である。エネルギー価格の引き上げと共に、特に通信環境でネットワーク運営者等にエネルギーコストを減少させるための手段としてインセンティブが与えられている。
【００７４】
移動ネットワークのＯ＆Ｍ（Ｏｐｅｒａｔｉｏｎ  Ａｎｄ  Ｍａｎａｇｅｍｅｎｔ）は、カバレッジ、処理容量及びサービス品質は維持し、エネルギー消耗は最小化する政策を樹立するように運営者等を許容することによってエネルギー節約に寄与することができる。カバレッジ、処理容量及びサービス品質に許容された影響は、運営者等の政策によって決定される。
【００７５】
特定セルがエネルギー節約（ＥＳ：Ｅｎｅｒｇｙ  Ｓａｖｉｎｇ）状態に転換される場合、ＥＳ状態のセル（以下、ＥＳセル）の代わりにＥＳセルの負荷をカバーする各隣近セルが必要である。ＥＳセルに対する全てのトラフィックは、ＥＳ状態に進入する前に他のオーバーレイセル（ｏｖｅｒｌａｙ  ｃｅｌｌ）又はアンブレラセル（ｕｍｂｒｅｌｌａ  ｃｅｌｌ）に移しなければならない。しかし、ＥＳセルの導入により、ネットワーク内にカバレッジホールを作ったり、各隣近セルに過度の負荷を付加してはならない。
【００７６】
ＥＳ状態のセルは、アウトレイジ（ｃｅｌｌ  ｏｕｔａｇｅ）又は故障状態（ｆａｕｌｔ  ｃｏｎｄｉｔｉｏｎ）にあると見なしてはならない。ＵＥがＥＳセルに移動した結果として発生する如何なる条件に対しても、ＩＲＰマネジャーにアラームをしてはならない。さらに、エネルギー節約のために、再使用可能な各エネルギーソース（例えば、風、太陽エネルギーなど）が移動ネットワークに導入される必要がある。
【００７７】
以下、ＥＳＭ（Ｅｎｅｒｇｙ  Ｓａｖｉｎｇ  Ｍａｎａｇｅｍｅｎｔ）コンセプトは、他の異種網（例えば、ＵＭＴＳ及びＬＴＥ／ＬＴＥ―Ａシステムなど）に適用することができる。それにもかかわらず、このようなＥＳＭコンセプトの一部は、特定ＲＡＴ及びネットワーク要素に限定することができ、特定解決策が必要である。
【００７８】
図５は、エネルギー節約目的の多様な処理容量要求によるネットワーク配置の一例を示す図である。特に、（ａ）は、ピークトラフィック環境を示し、（ｂ）は、オフピークトラフィック環境を示す。
【００７９】
図５（ａ）を参照すると、運営者等は、ピークトラフィック環境で地理的領域当たりの処理容量を増加させるようにセル当たりのより小さいカバレッジ領域を用いるために、スモールセルのカバレッジを動的に構成することができる。
【００８０】
この場合、いくつかの基地局は、オフピーク時間にエネルギー節約状態に転換される他の隣近セルに対するカバレッジを提供することができる。このために、ＥＳ状態に転換しようとする各基地局は、現在連関している各端末が他の隣近セルにハンドオーバーを行うように指示する。その後、各ＥＳセルは、オフピーク時間に伝送電力及びそれらのセルに対する他の構成パラメーターを調整することができる。
【００８１】
しかし、特定基地局でエネルギー節約状態を活性化し、他のセルに対するカバレッジを増加するために各無線パラメーターを修正することは、他の隣近セル及び周波数レイアウト（例えば、干渉制御など）などの他の隣近セルの各関係に影響を及ぼし得る。特定シナリオに基づいて、基地局でエネルギー節約状態を活性化することは、該当の地域で全ての無線―伝送―関係機能の変更をもたらし得る。例えば、エネルギー消耗の減少及び暗黙的な追加エネルギー節約をもたらし得る。
【００８２】
前記シナリオによるエネルギー節約管理は、図５（ｂ）に示したオフピークタイムに対する理想的な結果を導くことができる。例えば、一つの基地局が、電力がオンになった状態で残っており（ＥＳ―Ｃｏｍｐｅｎｓａｔｅ状態と図示）、エネルギー節約状態（ｅＳａｖｉｎｇと図示）である各隣近基地局のカバレッジを受け取る。
【００８３】
他のネットワーク配置として、一つ以上の基地局がオーバレイされた状況を仮定することができる。サービス連結性を保障し、サービスに副作用を与えないために（例えば、端末は、ＥＳ状態である基地局領域で電力をオンにすることができる）、他の基地局によってオーバレイされた基地局のみ（すなわち、一つの基地局によってサービスを受ける領域は、更に他の基地局によってカバーされ得る）がＥＳ状態に入ることができる。
【００８４】
このようなシナリオで、レガシーシステム（例えば、２Ｇ／３Ｇシステム）は、Ｅ―ＵＴＲＡＮと共に無線カバレッジを提供することができる。これと類似する他の例として、無線カバレッジは、他の周波数を有するＥ―ＵＴＲＡＮによってカバーされ得る。すなわち、周波数帯域間の基地局オーバレイである。
【００８５】
本発明の各実施例で使用される各基地局は、マクロセル（広い領域基地局）、マイクロセル（中間範囲基地局）、ピコセル（地域基地局）及びフェムトセル（仮定基地局に特化）などに区分することができる。このような基地局のカテゴリーは、周波数帯域間の基地局オーバレイシナリオを向上させるために適用することができる。
【００８６】
２．動的セルのオン／オフ
エネルギー節約（ＥＳ：Ｅｎｅｒｇｙ  Ｓａｖｉｎｇ）又は干渉調整／除去の目的でセルの負荷などを考慮し、セルの電力をオン・オフにすることができる。例えば、特定時間と空間でのネットワーク負荷（ｌｏａｄ）が異なる様相に表れ、負荷のないセルが伝送する信号（例えば、同期信号、参照信号）は、エネルギー浪費であるだけでなく、隣接セルに干渉信号として作用する。したがって、セルの負荷が少ないか又はセルの負荷がない場合、ＥＳと干渉調整／除去の目的でセルの電力をオン・オフにすることができる。
【００８７】
このとき、セルの電力を「オフ」にするという意味は、セルの特定機能やネットワーク要素などの電力を完全にオフにする場合と、一部の無線資源の使用を制限する場合などを全て含むことができる。すなわち、本発明の各実施例では、セルの電力をオフにする範囲に制限を受けない。
【００８８】
また、機能的な面でセルの電力をオフにする場合、セルは、ダウンリンク信号の伝送とアップリンク信号の受信を全て行わないか、ダウンリンク信号の伝送及びアップリンク信号の受信のうちいずれか一つのみを行うことができる。例えば、ＤＬ信号伝送は行い、ＵＬ信号は受信しないこともある。
【００８９】
セルの電力を「オン」にするという意味は、オフ状態のセルが特定機能やネットワーク要素などの電力を完全にオンにする場合と、一部の無線資源の使用を許容する場合などを全て含むことができる。
【００９０】
また、機能的な面でセルの電力をオンにする場合、セルは、ダウンリンク信号の伝送とアップリンク信号の受信を全て行うか、ダウンリンク信号の伝送及びアップリンク信号の受信のうちいずれか一つのみを行うことができる。例えば、ＤＬ信号の伝送は行い、ＵＬ信号は受信しないこともある。
【００９１】
勿論、本発明の各実施例で説明するセルのオン又はオフは、このようなＤＬ／ＵＬ信号の送受信とは関係なく適用することができる。本発明の各実施例で使用するセルは、マクロセルとスモールセル（例えば、マイクロセル、ピコセル、フェムトセルなど）に全て適用することができる。
【００９２】
セルの電力をオン・オフにする場合、各セル間の干渉に大きな影響を与えることができ、セル電力のオン・オフ頻度に応じて干渉の変動（ｉｎｔｅｒｆｅｒｅｎｃｅ  ｆｌｕｃｔｕａｔｉｏｎ）幅が非常に大きくなり得る。特に、各セルが互いに密集するように配置されたり、特定セルが周辺に位置した各隣近セルと同一の周波数帯域を使用する場合は、各セル間の干渉が深化され得る。
【００９３】
例えば、特定セルの電力をオンにする場合、該当のセルと同一の周波数を使用する各周辺セルが受ける干渉は増加し得る。このとき、特定セルと隣接した位置で同一の周波数を使用する各セルが密集するように配置されるほど、特定セルのオンによって周辺の各セルが受ける干渉の影響はさらに大きくなる。また、特定セルの電力をオフにする場合、特定セルと同一の周波数を使用する各周辺セルが受ける干渉量は減少し得る。
【００９４】
セルの電力を調節しながらセルをオン／オフにする場合、該当のセルはエネルギーを節約することができる。しかし、セルのオン／オフによって周辺の他のセルに印加される干渉が非常に大きくなり得るので、該当のセルのみならず、各隣近セルに及ぼす影響も考慮しなければならない。また、任意のセルの電力調節により、いずれかの各端末はＲＬＦ（Ｒａｄｉｏ  Ｌｉｎｋ  Ｆａｉｌｕｒｅ）を経験し得るので、端末に及ぼす影響も考慮しなければならない。
【００９５】
また、セルをオン／オフにする場合、該当のセルのカバレッジをいずれの隣近セルで補償するかを決定しなければならない。その理由は、いずれかのセルのオフ時、該当のカバレッジを補償する隣近セルがない場合、該当のセル領域はカバレッジホールになり得るためである。
【００９６】
したがって、本発明の各実施例では、ＥＳ状態に転換しようとするセルの電力をオン／オフにするとき、オン・オフセルのオフにするカバレッジを補償する各隣近セルを決定する方法を提供する。
【００９７】
２．１  オン・オフセルと補償セル
本発明の各実施例において、ＥＳ状態に転換するためにセルの電力をオン又はオフにするセルをオン・オフセル、エネルギー節約（ＥＳ）セル、第１のセル又は第１の基地局と定義することができる。また、オン・オフセルのカバレッジを補償ためのセルを補償セル、エネルギー節約補償（ＥＳ  ｃｏｍｐｅｎｓａｔｅ）セル、第２のセル又は第２の基地局と定義することができる。また、各スモールセルがクラスター（ｃｌｕｓｔｅｒ）を構成するとき、マクロセルとの調整のためのセル（すなわち、スモールセルクラスターヘッダー（（ｓｍａｌｌ  ｃｅｌｌ  ｃｌｕｓｔｅｒ  ｈｅａｄｅｒ））などを定義することができる。
【００９８】
これら各セルの構成は、オン・オフセル及び補償セルが設置される場合にＯ＆Ｍによって構成したり、マクロセル又はネットワークによって構成したり、又は、周辺の各スモールセルとの分散方法などによって構成することができる。このようなスモールセル構成に対する情報は、各セル間のバックホールを形成するときに交換したり、動的セルのオン・オフのために他のセルとのシグナリングを介して交換することができる。
【００９９】
容量制限ネットワークケース（Ｃａｐａｃｉｔｙ―ｌｉｍｉｔｅｄ  ｎｅｔｗｏｒｋ  ｕｓｅ  ｃａｓｅ）では、一つあるいは多数のオン・オフセルをオフにする場合、周辺にある各補償セルは、オフにする各セルの既存のカバレッジをカバーするためにＥＳ補償状態に転換することができる。このとき、ＥＳ状態に転換する各オン・オフセルとＥＳ補償状態に転換する各補償セルの電力調節は、ワンステップ又はマルチステップで行うことができる。
【０１００】
ワンステップで電力が調節される場合は、各オン・オフセルをオフにしてＥＳ状態に転換する前に、まず、各オン・オフセルの周辺にある各補償セルをＥＳ補償状態に転換することによってオン・オフセルのカバレッジをカバーできるようにし、その後、各オン・オフセルをＥＳ状態に転換する。
【０１０１】
マルチステップで電力が調節される場合は、各オン・オフセルと各補償セルの電力をマルチステップで調節することによって、オン・オフセルのカバレッジを漸進的にオン・オフにすることができる。すなわち、オン・オフセルをオフにする場合、カバレッジの一定部分をＥＳ補償状態に転換した補償セルがカバーできるようにし、各オン・オフセルの電力も漸進的に減少させることができる。
【０１０２】
スモールセルが密集して配置される場合、オン・オフにする各セルと各補償セルの動作を中央制御器が制御する集中化（ｃｅｎｔｒａｌｉｚｅｄ）方式を考慮することができる。しかし、集中化方式の場合、全てのセルの負荷情報などが全て制御器（ｃｏｎｔｒｏｌｌｅｒ）に伝送されなければならない。したがって、このような集中化方法によると、シグナルオーバーヘッドが大きくなり、ネットワーク負荷と複雑度が高くなり得る。また、マクロセルとスモールセル、スモールセル間のバックホールが非理想的バックホールで構成されたり、又はバックホールが構成されないこともある。したがって、集中化方式の場合、ネットワークの調整時に遅延に対する保障を行えないこともあり、マクロセルやネットワークが全てのスモールセルを調整できないこともある。すなわち、ネットワークエネルギー節約のためにスモールセルを動的にオン・オフにする状況で、スモールセルのカバレッジを考慮すると、スモールセルのオン・オフによって制御／調整されなければならない領域は限定的であり得る。
【０１０３】
したがって、以下では、分散方式で各基地局間でオン・オフセル及び補償セルを決定する各方法に対して説明する。
【０１０４】
２．２  ワンステップ電力調節方法
図６は、ワンステップ電力調節方法としてオン・オフセルが補償セルを決定する方法のうち一つを示す図である。
【０１０５】
図６において、第１の基地局（ｅＮＢ１）は、電力をオフにするオン・オフセルで、第２の基地局（ｅＮＢ２）及び第３の基地局（ｅＮＢ３）は、第１の基地局とスモールセルクラスターを構成すると仮定する。すなわち、第２の基地局及び／又は第３の基地局は、ＥＳ補償セル又はオン・オフセルになり得る。図６において、第２の基地局及び第３の基地局は、それぞれ一つずつ図示したが、多数個を使用してもよい。
【０１０６】
オン・オフセルである第１の基地局は、該当のセルの負荷が少ないか、該当のセルの負荷がない場合、セルのオフ、すなわち、ＥＳ状態に進入することを決定することができる（Ｓ６０１）。
【０１０７】
第１の基地局は、ＥＳ補償状態に転換可能な各ＥＳ補償候補セルとしていずれのセルがあるかを確認するために、自身の隣接セル、自身の属したスモールセルクラスター単位又はクラスター内で予め定義された各セルにＥＳ補償候補要請（ＥＳ  ｃｏｍｐｅｎｓａｔｅ  ｃａｎｄｉｄａｔｅ  ｒｅｑｕｅｓｔ）メッセージを伝送することができる。図６では、第１の基地局は、隣近基地局である第２の基地局にＥＳ補償候補要請メッセージを伝送する（Ｓ６０３）。
【０１０８】
Ｓ６０３段階において、ＥＳ補償候補要請メッセージは、メッセージタイプフィールド（すなわち、ＥＳ補償候補要請メッセージであることを示す指示子）、ソース基地局（ｓｏｕｒｃｅ  ｅＮＢ）のセル識別子（Ｃｅｌｌ  ＩＤ）、対象基地局（ｄｅｓｔｉｎａｔｉｏｎ  ｅＮＢ）のセル識別子、ソース基地局の負荷情報などを含むことができる。
【０１０９】
ＥＳ補償候補要請メッセージを受信した第２の基地局は、自身の負荷状態などを確認し、ＥＳ補償セルとして動作可能であるか否かを示すための応答メッセージであるＥＳ補償候補応答メッセージ（ＥＳ  ｃｏｍｐｅｎｓａｔｅ  ｃａｎｄｉｄａｔｅ  ｒｅｓｐｏｎｓｅ  ｍｅｓｓａｇｅ）を第１の基地局に伝送する。すなわち、第２の基地局は、第１の基地局のセルカバレッジをカバーするために自身のセルを拡張することによって第１の基地局のセルを補償できると判断する場合、ＥＳ補償候補応答メッセージを第１の基地局に伝送することができる（Ｓ６０５）。
【０１１０】
Ｓ６０５段階において、ＥＳ補償候補応答メッセージは、メッセージタイプフィールド（すなわち、ＥＳ補償候補応答メッセージであることを示す指示子）、ソース基地局のセル識別子（Ｃｅｌｌ  ＩＤ）及び目的基地局のセル識別子などを含むことができる。
【０１１１】
第２の基地局が自身の負荷状態を確認した後、第１の基地局のセルを補償できない場合は、ＥＳ補償候補要請メッセージに対する応答として、Ｓ６０５段階でＥＳ補償候補失敗メッセージ（ＥＳ  ｃｏｍｐｅｎｓａｔｅ  ｃａｎｄｉｄａｔｅ  ｆａｉｌｕｒｅ  ｍｅｓｓａｇｅ）を伝送することができる。例えば、第２の基地局の容量がＥＳ補償状態に転換できない場合（すなわち、自身の最大伝送電力レベルが低い場合など）、又は第２の基地局もＥＳ状態に転換すると決定した場合などは、第２の基地局をＥＳ補償状態に転換することができない。
【０１１２】
ＥＳ補償候補失敗メッセージは、メッセージタイプフィールド（すなわち、ＥＳ補償候補失敗メッセージを示す指示子）、ソース基地局のセル識別子、目的基地局のセル識別子及び補償失敗原因を示す原因フィールドなどを含むことができる。すなわち、各補償失敗原因は、それぞれ既に定義された方法によって特定値にマッピングされ、原因フィールドには予め定義された方法によって該当の特定値がマッピングされ得る。
【０１１３】
第１の基地局は、Ｓ６０３段階及びＳ６０５段階を行うことによって、ＥＳ補償状態に転換可能なセルがあるか否かを確認することができる。このとき、第１の基地局は、ＥＳ補償候補応答メッセージを伝送した一つ以上の第２の基地局を全てＥＳ補償状態に転換可能な各候補セルである各ＥＳ補償候補セルと決定することができる。又は、第１の基地局は、ＥＳ補償候補応答メッセージを伝送した一つ以上の第２の基地局のうち既に定義された特定条件に適した各セルのみを限定して各ＥＳ補償候補セルと決定することができる。例えば、第１の基地局は、各第２の基地局のうち信号が最も強い基地局又は信号の強さが特定しきい値を超える各基地局をＥＳ補償候補セルと決定することができる（Ｓ６０７）。
【０１１４】
第１の基地局は、ＥＳ補償候補セルと決定した一つ以上の第２の基地局に、ＥＳ補償候補セルであることを指示するためのＥＳ補償候補セル指示子（ＥＳ  ｃｏｍｐｅｎｓａｔｅ  ｃａｎｄｉｄａｔｅ  ｃｅｌｌ（ｓ）  ｉｎｄｉｃａｔｏｒ）メッセージを伝送することができる（Ｓ６０９）。
【０１１５】
ＥＳ補償候補セル指示子メッセージは、メッセージタイプフィールド（すなわち、ＥＳ補償候補セル指示子メッセージであることを示す指示子）、ソース基地局のセル識別子、目的基地局のセル識別子などを含むことができる。Ｓ６０７段階及びＳ６０９段階は選択的に行うことができる。
【０１１６】
Ｓ６０９段階でＥＳ補償候補セル指示子を受信した第２の基地局、又は、Ｓ６０３段階でＥＳ補償候補要請メッセージを受信した後でＥＳ補償状態に転換できると決定し、ＥＳ補償候補応答メッセージを伝送した第２の基地局は、隣近にＥＳ状態に転換するオン・オフセルがさらにあるか否かを確認するためにＥＳ候補要請メッセージを一つ以上の第３の基地局に伝送することができる（Ｓ６１１）。
【０１１７】
このとき、一つ以上の第３の基地局は、第２の基地局の隣近セル、第２の基地局が属したスモールセルクラスター単位の各スモールセル、又は、スモールセルクラスター内で予め定義された（例えば、マクロセルの構成情報など）各スモールセルになり得る。また、ＥＳ候補要請メッセージは、メッセージタイプフィールド（すなわち、ＥＳ候補要請メッセージであることを示す指示子）、ソース基地局のセル識別子、目的地基地局のセル識別子などで構成することができる。
【０１１８】
図６において、ＥＳ候補要請メッセージを受信した各第３の基地局のうち自身のロードが少ないか又はロードがない第３の基地局は、ＥＳ状態に進入すると決定することができる。このような第３の基地局は、ＥＳ候補要請メッセージに対する応答として、第３の基地局がＥＳ状態に進入することを知らせるためにＥＳ候補応答メッセージを第２の基地局に伝送する（Ｓ６１３）。
【０１１９】
ＥＳ候補応答メッセージは、メッセージタイプフィールド（すなわち、ＥＳ候補応答メッセージであることを示す指示子）、ソース基地局のセル識別子、目的基地局のセル識別子などを含むことができる。
【０１２０】
本発明の他の側面として、ＥＳ候補要請メッセージを受信した各第３の基地局のうちＥＳ状態に転換しないと決定した各セルがあり得る。これら各第３の基地局は、ＥＳ状態に進入しないことを指示するために、Ｓ６１３段階でＥＳ候補応答メッセージの代わりにＥＳ候補失敗メッセージを第２の基地局に伝送することができる。
【０１２１】
ＥＳ候補失敗メッセージは、メッセージタイプフィールド（すなわち、ＥＳ候補失敗メッセージであることを示す指示子）、ソース基地局のセル識別子、目的基地局のセル識別子、及びＥＳ状態転換の失敗原因を示すための原因フィールドなどを含むことができる。原因フィールドは、ＥＳ状態転換失敗の原因として、セルの負荷が多いこと、又はセルの動的オン・オフによる処理容量の不足などの理由などを示すことができる。
【０１２２】
ＥＳ候補応答メッセージを受信したＥＳ補償セル（すなわち、第２の基地局）は、ＥＳ状態に進入しようとする各第３の基地局に対する情報を含むＥＳ候補セル指示子（ＥＳ  ｃａｎｄｉｄａｔｅ  ｃｅｌｌ  ｉｎｄｉｃａｔｏｒ）メッセージを第１の基地局に伝送することができる（Ｓ６１５）。
【０１２３】
ＥＳ候補セル指示子メッセージは、メッセージタイプフィールド（すなわち、該当のメッセージがＥＳ候補セル指示子メッセージであることを示す指示子）、ＥＳ候補応答メッセージを伝送した各セル（すなわち、一つ以上の第３の基地局）に対するセル識別子、ソース基地局のセル識別子、目的基地局のセル識別子などを含むことができる。
【０１２４】
ＥＳ候補セル指示子メッセージを受信した第１の基地局は、一つ以上のＥＳ補償セルを決定することができる。例えば、各ＥＳ補償候補セル（すなわち、第２の基地局）の周辺にＥＳ状態に転換しようとする第３の基地局が最も多いＥＳ補償候補セルをＥＳ補償セルと決定することができる（Ｓ６１７）。
【０１２５】
また、第１の基地局は、ＥＳ補償セルと決定した一つ以上の第２の基地局（すなわち、各ＥＳ補償セル）に該当の基地局がＥＳ補償セルと決定されたことを知らせるためのＥＳ補償セル指示子（ＥＳ  ｃｏｍｐｅｎｓａｔｅ  ｃｅｌｌ  ｉｎｄｉｃａｔｏｒ）メッセージを伝送する（Ｓ６１９）。
【０１２６】
ＥＳ補償セル指示子メッセージは、メッセージタイプフィールド（すなわち、ＥＳ補償セル指示子メッセージであることを示す指示子）、ソース基地局のセル識別子、目的基地局のセル識別子、ＥＳ補償セルをＥＳ補償状態に転換する時点及び時間を示すタイマー情報、ＥＳ補償セルの電力を調節するのに必要な電力パラメーター（例えば、ＥＳ補償セルの電力値など）、ＥＳ状態に転換しようとする各第３の基地局を示すＥＳ状態セルリスト情報などを含むことができる。
【０１２７】
ＥＳ補償セル指示子を受信した第２の基地局は、タイマー情報が示す時点及び時間で第１の基地局及び／又はＥＳ状態セルリストに表示された各第３の基地局のセル領域をカバーするためにＥＳ補償状態に転換する。このとき、第２の基地局は、電力パラメーターで示す電力大きさ値で伝送電力を調節することによってカバレッジを拡張することができる（Ｓ６２１）。
【０１２８】
ＥＳ補償状態に転換した第２の基地局は、第２の基地局をＥＳ補償状態に転換することによって第１の基地局及び／又は第３の基地局のセルカバレッジを補償できることを知らせるためにＥＳ補償完了指示子（ＥＳ  ｃｏｍｐｅｎｓａｔｅ  ｃｏｍｐｌｅｔｅ  ｉｎｄｉｃａｔｏｒ）メッセージを第１の基地局及び／又は第３の基地局に伝送する（Ｓ６２３ａ、Ｓ６２３ｂ）。
【０１２９】
ＥＳ補償完了指示子メッセージは、メッセージタイプフィールド（すなわち、ＥＳ補償完了指示子であることを示す指示子）、ソース基地局のセル識別子、目的基地局のセル識別子、ＥＳ状態に転換する時点及び時間を示すタイマー情報、ＥＳ補償完了指示子メッセージを伝送するセル（すなわち、第２の基地局）のセル識別子を含むことができる。
【０１３０】
ＥＳ補償完了指示子メッセージを受信した第１の基地局及び／又は第３の基地局は、自身のセルをサービングセルとする各端末にＥＳ状態に転換することを知らせるためにＥＳ状態転換メッセージ（ＥＳ  ｓｔａｔｅ  ｔｒａｎｓｉｔｉｏｎ  ｍｅｓｓａｇｅ）を伝送することができる（図示せず）。
【０１３１】
ＥＳ状態転換メッセージは、メッセージタイプフィールド（ＥＳ状態転換メッセージであることを示す指示子）、ＥＳ状態に転換する時点及び時間を示すタイマー情報、各ＥＳ補償セル（各第２の基地局）を示すセルリストなどを含む。また、ＥＳ状態転換メッセージは、ＲＲＣ信号を介して伝送することができる。
【０１３２】
ＥＳ状態転換メッセージを受信した端末は、サービングセル（例えば、第１の基地局又は第３の基地局）をＥＳ状態に転換することが分かる。したがって、端末は、自身のサービングセルでＥＳ状態転換メッセージに含まれたタイマー情報が示す時点及び時間が満了する前にＥＳ補償セルにハンドオーバーを行うことができる。
【０１３３】
また、ＥＳ状態に転換する第１の基地局及び／又は第３の基地局は、ＥＳ状態に転換する前に自身のセルをサービングセルとする端末を各ＥＳ補償セルにハンドオーバーする手順を行うことができる。
【０１３４】
再び図６を参照すると、ＥＳ補償完了指示子メッセージを受信した第１の基地局及び／又は第３の基地局は、タイマー情報が示す時点でタイマー時間が満了する前にＥＳ状態に転換することができる（Ｓ６２５ａ、Ｓ６２５ｂ）。
【０１３５】
第１の基地局及び／又は第３の基地局は、ＥＳ状態への転換が完了した後、ＥＳ補償セルへのＥＳ状態転換の完了を示すＥＳ完了指示子メッセージ（ＥＳ  ｃｏｍｐｌｅｔｅ  ｉｎｄｉｃａｔｏｒ  ｍｅｓｓａｇｅ）を第２の基地局に伝送することができる（図示せず）。
【０１３６】
ＥＳ完了指示子メッセージは、メッセージタイプフィールド（すなわち、ＥＳ完了指示メッセージであることを示す指示子）、ソース基地局のセル識別子、目的基地局のセル識別子などを含むことができる。
【０１３７】
本発明の各実施例で使用されるセル識別子としては、物理セル識別子（ＰＣＩＤ：Ｐｈｙｓｉｃａｌ  Ｃｅｌｌ  ＩＤ）又はグローバルセル識別子（ＧＣＩＤ：Ｇｒｏｂａｌ  Ｃｅｌｌ  ＩＤ）などがある。また、図６のＳ６０７段階及びＳ６０９段階は選択的に行うことができる。Ｓ６０７段階及びＳ６０９段階が行われない場合は、Ｓ６０３段階でＥＳ補償候補要請メッセージを受信した一つ以上の第２の基地局が、追加的にＥＳ状態に転換するセルがあるか否かを確認するためにＥＳ候補要請メッセージを一つ以上の第３の基地局に伝送することができる。以後の動作は、図６で説明した各段階を参照する。
【０１３８】
ＥＳ状態に転換すると決定した第１の基地局でＥＳ補償状態に転換しなければならない各セル（すなわち、各第２の基地局）を決定するために、図６で示した過程を全て行うことができる。しかし、この場合は、各セル間で送受信しなければならないシグナリングオーバーヘッドが大きくなり得る。また、追加的にＥＳ状態に進入しようと決定した各セル（例えば、第３の基地局）が全て図６の過程を行う場合、ＥＳ状態に進入しようと決定した各セルごとに多数のＥＳ補償セルを決定することができる。また、図６のような過程を通じて決定された各ＥＳ補償セルをＥＳ補償状態に転換する場合、すなわち、各ＥＳ補償セルがカバレッジを拡張するために高い伝送電力を使用する場合は、セル間干渉が大きくなり得る。
【０１３９】
したがって、ＥＳ補償状態に転換する各セルを決定するために伝送される各メッセージ（例えば、ＥＳ補償候補要請メッセージ、ＥＳ補償候補セル指示子メッセージ及び／又はＥＳ候補要請メッセージなど）内にタイマー情報を含ませることができる。これら各メッセージを受信した各セルは、該当のメッセージを受信した後、タイマー情報が示す時間が経過する前まで自身のＥＳ状態に転換しようと決定したにもかかわらず、周辺の各セルのうちＥＳ補償状態に転換しようとする各セルを決定するための上述した過程を行わないように設定することができる。
【０１４０】
図７は、ワンステップ電力調節方法としてオン・オフセルが補償セルを決定する方法のうち他の一つを示す図である。
【０１４１】
図７の基本仮定は、図６と同一である。したがって、図７に対する説明は、図６と異なる部分に対してのみ説明する。すなわち、Ｓ７０１段階〜Ｓ７０９段階に対する説明は、図６のＳ６０１段階〜Ｓ６０９段階に対する説明を参照することにする。
【０１４２】
ＥＳ補償セルである第２の基地局は、周辺基地局、第２の基地局が属したスモールセルクラスター単位の各セル、又はクラスター内の予め定義された各スモールセルに追加的にＥＳ状態に転換するか否かを確認するためにＥＳ候補要請メッセージを伝送する（Ｓ７１１）。
【０１４３】
このとき、ＥＳ候補要請メッセージには、該当のメッセージがＥＳ候補要請メッセージであることを示すタイプフィールド、ソース基地局のセル識別子、目的基地局のセル識別子、及びＥＳ状態に転換しようとする第１の基地局のセル識別子などを含ませることができる。
【０１４４】
ＥＳ候補要請メッセージを受信した一つ以上の第３の基地局は、自身の負荷状態を基盤にしてＥＳ状態に転換するか否かを決定することができる。例えば、各第３の基地局のうち負荷が基準値以下に小さいか、負荷のない各基地局はＥＳ状態に転換することができる。ＥＳ状態に転換しようとする第３の基地局は、ＥＳ候補要請メッセージに対する応答としてＥＳ候補応答メッセージを伝送することができる。このとき、第３の基地局は、ＥＳ候補要請メッセージに含まれた第１の基地局のセル識別子を基盤にして第１の基地局がＥＳ補償セルを決定するセルであって、ＥＳ状態に転換することを認識することができる。したがって、第３の基地局は、ＥＳ候補応答メッセージを第１の基地局に伝送することができる（Ｓ７１３）。
【０１４５】
本発明の他の側面として、ＥＳ候補要請メッセージを受信した各第３の基地局のうちＥＳ状態に転換しないと決定した各第３の基地局は、Ｓ７１３段階でＥＳ候補失敗メッセージを第１の基地局に伝送することができる。
【０１４６】
ＥＳ候補失敗メッセージは、メッセージタイプフィールド（すなわち、ＥＳ候補失敗メッセージであることを示す指示子）、ソース基地局のセル識別子、目的基地局のセル識別子、ＥＳ候補要請メッセージを伝送したセルのセル識別子、ＥＳ失敗原因を示す原因フィールドなどを含むことができる。原因フィールドは、セルの負荷が多いか、又は、セルの動的オン・オフに対する容量がないなどの理由であり得る。
【０１４７】
第１の基地局は、第３の基地局からＥＳ候補応答メッセージを受けた後、第１の基地局が属したクラスター内でＥＳ補償セルとして動作する第２の基地局を決定することができる（Ｓ７１５）。
【０１４８】
Ｓ７１５段階〜Ｓ７２３段階に対する詳細な説明は、図６のＳ６１７段階〜Ｓ６２５段階に対する説明を参照することにする。
【０１４９】
２．３  マルチステップ電力調節方法
図８は、スモールセルクラスター構造の一例を示す。このとき、図８（ａ）は、ワンステップ電力調節過程を示す図で、図８（ｂ）は、マルチステップ電力調節過程を示す図である。
【０１５０】
図８（ａ）を参照すると、最も中央にあるセルはＥＳ補償セルで、中間層にあるセルはＥＳ状態に進入するオン・オフセルである場合を仮定する。図８（ａ）の場合、図６〜図７で説明した方法を用いてＥＳ補償セルが決定されると、ＥＳ補償セルがカバレッジを拡張し、既存のオン・オフセルがサービスを提供する領域を補償した後、オン・オフセルは、電力を直ぐオフにしてＥＳ状態に進入する。
【０１５１】
ワンステップ電力調節の場合は、ＥＳ補償状態に転換する各補償セルが、ＥＳ状態に転換しようとする各オン・オフセルのカバレッジを全てカバーするためには、ＥＳ状態に転換する各セルをＥＳに転換する前に伝送電力を高めなければならない。このような動作は、ＥＳ状態に転換しようとするオン・オフセル及び各近隣セルに対して深刻な干渉を発生させ得る。
【０１５２】
したがって、これを解決するための方法として、ＥＳ補償状態に転換する補償セルとＥＳ状態に転換しようとする各オン・オフセルの電力を全てマルチステップで調節するように制御することができる。すなわち、マルチステップで補償セルとオン・オフセルとが重なるカバレッジ領域を、ワンステップ電力制御方法を適用したときより少なく設定することによって干渉の影響を減少させることができる。
【０１５３】
図８（ｂ）を参照すると、ＥＳ補償セルが決定された後、オン・オフセルの電力は、直ぐオフにせず、いくつかの段階（図８では３段階）にわたって漸次減少させることができる。また、ＥＳ補償セルの伝送電力も、いくつかの段階にわたって高めることができる。このとき、最外郭に位置する各セルもＥＳ補償セルとして動作することができる。このようなマルチステップ電力調節によると、隣近基地局に及ぼす干渉を最小化することができる。
【０１５４】
しかし、このようにマルチステップで電力を調節する方法を使用する場合は、ＥＳ補償状態に転換する補償セルとＥＳ状態に転換する各オン・オフセルの伝送電力を全て漸進的に上昇・低下させる。したがって、各オン・オフセルのカバレッジをカバーするためには、既存のワンステップ電力制御方法とは異なり、ＥＳ状態に転換する各オン・オフセルの全ての隣接したセルをＥＳ補償状態に転換しなければならない。
【０１５５】
そのため、ワンステップ電力制御方法とは異なり、ＥＳ状態に転換する各オン・オフセルの隣接セルのＥＳ補償状態への転換有無を問い合わせる過程を追加することができる。すなわち、マルチステップ電力調節方法も、追加される過程を除いては、ワンステップ電力調節方法と類似する形に動作することができる。このとき、ＥＳ補償セルの決定前に、ＥＳ状態に転換する各オン・オフセルの隣接セルのＥＳ補償状態への転換有無を問い合わせる過程を行うことができる。又は、ＥＳ補償セルの決定後、ＥＳ状態に転換しようとする各セルの隣接セルのＥＳ補償状態への転換有無を問い合わせる過程を行うことができる。
【０１５６】
以下では、ＥＳ補償セルを決定する過程でマルチステップで電力を調節する方法について説明する。
【０１５７】
図９は、マルチステップ電力調節方法としてオン・オフセルが補償セルを決定する方法のうち一つを示す図である。
【０１５８】
図９において、第１の基地局（ｅＮＢ１）は、電力をオフにするオン・オフセルで、第２の基地局（ｅＮＢ２）、第３の基地局（ｅＮＢ３）及び第４の基地局（ｅＮＢ４）は、第１の基地局とスモールセルクラスターを構成すると仮定する。すなわち、第２の基地局、第３の基地局及び／又は第４の基地局は、ＥＳ補償セル又はオン・オフセルになり得る。図９において、第２の基地局、第３の基地局及び第４の基地局は、それぞれ一つずつ図示したが、多数個を使用してもよい。
【０１５９】
また、図９のＳ９０１段階〜Ｓ９１１段階は、図６で説明したＳ６０１段階〜Ｓ６１１段階と同一であるので、それについての説明は省略する。
【０１６０】
図９は、オン・オフセルである第１の基地局でＥＳ補償セルを決定する前に、さらにＥＳ状態に転換する各セル（例えば、第３の基地局）の隣接セル（例えば、第４の基地局）をＥＳ補償状態に転換するか否かを確認する過程を行う方法に関する。
【０１６１】
マルチステップ電力調節のために、図６で説明したワンステップ電力調節方法を行う過程でスモールセルクラスター内に第２の基地局以外にＥＳ補償セルになり得るスモールセルがあるか否かを確認する過程を追加することができる。
【０１６２】
例えば、Ｓ９１１段階でＥＳ候補要請メッセージを受信した第３の基地局は、第４の基地局にＥＳ補償状態に転換可能であるかを問い合わせるためのＥＳ補償候補要請メッセージ（ＥＳ  ｃｏｍｐｅｎｓａｔｅ  ｃａｎｄｉｄａｔｅ  ｒｅｑｕｅｓｔ  ｍｅｓｓａｇｅ）を伝送することができる。このとき、第４の基地局は、隣接セル、第３の基地局が属したスモールセルクラスター単位の各セル、又はクラスター内で予め定義された各スモールセル（例えば、マクロセルから構成されたセル）になり得る（Ｓ９１３）。
【０１６３】
このとき、第４の基地局がＥＳ補償状態に転換され得る場合は、ＥＳ補償状態に転換され得ることを示すＥＳ補償候補応答メッセージを第３の基地局に伝送することができる（Ｓ９１５）。
【０１６４】
ＥＳ補償候補要請メッセージ及びＥＳ補償候補応答メッセージに対するメッセージフォーマットは、Ｓ６０３段階及びＳ６０５段階で使用される各メッセージのフォーマットと同一に構成することができる。また、Ｓ９１７段階〜Ｓ９３１段階も、図６で説明したＳ６１５段階〜Ｓ６２５段階と類似する形に行うことができる。以下では、説明の便宜上、図６と異なる部分に対してのみ説明することにする。
【０１６５】
第３の基地局は、Ｓ９１７段階で一つ以上の第４の基地局のうちＥＳ補償セルになり得る各ＥＳ補償候補セルを示すＥＳ補償候補セルリストをさらに含むＥＳ候補応答メッセージを第２の基地局に伝送することができる。
【０１６６】
第２の基地局は、Ｓ９１９段階でＥＳ補償候補セルリスト及びＥＳ状態に進入しようとする各第３の基地局に対するＥＳ状態セルリストを含むＥＳ候補セル指示子（ＥＳ  ｃａｎｄｉｄａｔｅ  ｃｅｌｌ  ｉｎｄｉｃａｔｏｒ）メッセージを第１の基地局に伝送することができる。
【０１６７】
第１の基地局は、Ｓ９２１段階でＥＳ補償候補セルリスト及びＥＳ状態セルリストを基盤にして一つ以上のＥＳ補償セルを決定することができる。例えば、第１の基地局は、隣近にＥＳ状態に転換するセルが多い第２の基地局及び第４の基地局をＥＳ補償セルと決定することができる。
【０１６８】
したがって、第１の基地局は、Ｓ９２３ａ段階及びＳ９２３ｂ段階で第２の基地局及び第４の基地局がＥＳ補償セルと決定されたことを知らせるためにＥＳ補償セル指示子メッセージ（ＥＳ  ｃｏｍｐｅｎｓａｔｅ  ｃｅｌｌ（ｓ）  ｉｎｄｉｃａｔｏｒ  ｍｅｓｓａｇｅ）を伝送する。
【０１６９】
また、第１の基地局は、第３の基地局がＥＳセルと決定されたことを知らせるためにＥＳセル指示子メッセージ（ＥＳ  ｃｅｌｌ（ｓ）  ｉｎｄｉｃａｔｏｒ  ｍｅｓｓａｇｅ）を伝送することができる。ＥＳセル指示子メッセージ（ＥＳ  ｃｅｌｌ（ｓ）  ｉｎｄｉｃａｔｏｒ  ｍｅｓｓａｇｅ）は、メッセージタイプフィールド（すなわち、ＥＳセル指示子メッセージであることを示す指示子）、ソース基地局のセル識別子及び目的基地局のセル識別子などを含むことができる（図示せず）。
【０１７０】
このとき、マルチステップ電力調節のために、第１の基地局は、自身が減少させる伝送電力を決定し、第２の基地局、第３の基地局及び第４の基地局に第１の基地局自身が減少させる伝送電力に対する電力情報、各ＥＳ補償セルが増加させなければならない伝送電力に対する電力情報及び／又は第３の基地局がＥＳセルとして減少させなければならない伝送電力に対する情報をさらに伝送することができる（図示せず）。
【０１７１】
その後、ＥＳ補償セル指示子メッセージを受信した第２の基地局及び第４の基地局は、該当のメッセージに含まれたタイマー情報を基盤にしてタイマーが満了する前にＥＳ補償状態に転換することができる（Ｓ９２５ａ、Ｓ９２５ｂ）。
【０１７２】
また、第２の基地局及び第４の基地局は、ＥＳ補償状態への転換が完了すると、第１の基地局及び／又は第３の基地局にＥＳ補償完了指示子メッセージを伝送する。
【０１７３】
第１の基地局は、ＥＳ補償完了指示子メッセージを受信した後、ＥＳ状態に転換する（Ｓ９３１ａ）。また、第３の基地局は、ＥＳ候補要請メッセージを伝送した第２の基地局とＥＳ補償候補要請メッセージを受信した第４の基地局からＥＳ補償完了指示子メッセージを全て受信した後、ＥＳ状態に転換することができる（Ｓ９３１ｂ）。
【０１７４】
このとき、第１の基地局及び第３の基地局は、ＥＳ補償完了指示子メッセージに含まれるタイマー情報に基盤して、タイマー情報が示す時点からタイマー満了前までＥＳ状態に転換することができる。
【０１７５】
ＥＳ補償完了指示子メッセージを受けた後、ＥＳ状態に転換する前に、第１の基地局及び第３の基地局は、自身のセルをサービングセルとする各端末にＥＳ状態転換メッセージを伝送することができる（図示せず）。ＥＳ状態転換メッセージは、メッセージタイプフィールド（ＥＳ状態転換メッセージであることを示す指示子）、ＥＳ状態に転換する時点及び時間を示すタイマー情報、各ＥＳ補償セルを示す補償セルリストなどを含むことができる。このとき、ＥＳ状態転換メッセージはＲＲＣ信号を介して端末に伝送することができる。
【０１７６】
ＥＳ状態転換メッセージを受信した端末は、タイマー情報が示す時間以後に現在のサービスを受けるサービングセルがＥＳ状態に転換することが分かる。したがって、端末は、タイマーが満了する前に自身のサービングセルからＥＳ補償セルにハンドオーバーを行うことができる。
【０１７７】
ＥＳ状態に転換するオン・オフセル（すなわち、第１の基地局及び第３の基地局）は、ＥＳ状態に転換する前に自身のセルをサービングセルとする端末がＥＳ補償セルにＨＯを行うようにする手順を行うことができる。又は、ＥＳ補償状態に転換された第２の基地局及び／又は第４の基地局は、ＥＳ補償セル指示子メッセージを伝送した第１の基地局及び／又は第３の基地局にＥＳ補償完了指示子メッセージを伝送することができる（Ｓ９２７ａ、Ｓ９２７ｂ、Ｓ９２９ａ、Ｓ９２９ｂ）。
【０１７８】
ＥＳ補償完了指示子メッセージを受信した第１の基地局及び／又は第３の基地局は、ＥＳ状態に転換することができる（Ｓ９３１ａ、Ｓ９３１ｂ）。
【０１７９】
上述したＥＳ補償候補要請メッセージを伝送したセルが、各ＥＳ補償候補セルに隣接した各セル（例えば、隣接セル、スモールセルクラスター単位の各セル、又はクラスター内で予め定義された各スモールセル）のうちＥＳ状態に転換するセルがあるか否かに対する情報を獲得することによって、各ＥＳ補償候補セルのうち実際にＥＳ補償状態に転換する各セルを決定することができる。
【０１８０】
図１０は、マルチステップ電力調節方法としてオン・オフセルが補償セルを決定する方法のうち他の一つを示す図である。
【０１８１】
図１０の基本前提は図９と同じである。したがって、図１０では、図９と異なる部分に対してのみ説明することにする。図１０を参照すると、Ｓ１０１１段階で、第２の基地局は、ＥＳ候補要請メッセージを第３の基地局に伝送する。このとき、ＥＳ候補要請メッセージには、ＥＳ補償候補要請メッセージを伝送した第１の基地局（すなわち、ソース基地局）に対する情報を含ませることができる。
【０１８２】
その後、第３の基地局は、隣近基地局、第３の基地局が属したスモールセルクラスター内のセル、又はクラスター内のセルのうちマクロ基地局が設定したセル（すなわち、第４の基地局）にＥＳ補償候補要請メッセージを伝送することによって、該当の各セルがＥＳ補償状態に転換可能であるか否かを問い合わせることができる（Ｓ１０１３）。
【０１８３】
ＥＳ補償状態に転換可能である場合、第４の基地局は、ＥＳ補償候補応答メッセージを第３の基地局に伝送することができる（Ｓ１０１５）。
【０１８４】
ＥＳ補償候補応答メッセージを受信した第３の基地局は、オン・オフセルである第１の基地局にＥＳ候補応答メッセージを直ぐ伝送することができる。このとき、ＥＳ候補応答メッセージには、各第４の基地局のうちＥＳ補償状態に転換する各セルを示す補償セルリストを含ませることができる（Ｓ１０１７）。
【０１８５】
ＥＳ候補応答メッセージを受信した第１の基地局は、補償セルリストと追加的にＥＳ状態に転換する各基地局を考慮してＥＳ補償セルを決定することができる（Ｓ１０１９）。
【０１８６】
その後、Ｓ１０２１段階〜Ｓ１０２９段階は、図９のＳ９２３段階〜Ｓ９３１段階と同一であるので、図９の説明を参照することにする。
【０１８７】
図１１は、マルチステップ電力調節方法としてオン・オフセルが補償セルを決定する方法のうち更に他の一つを示す図である。
【０１８８】
特に、図１１は、オン・オフセルである第１の基地局でＥＳ補償セルを決定した後、ＥＳ状態に転換する各セルの隣接セルのＥＳ補償状態への転換有無を問い合わせる過程を行う方法に関する。
【０１８９】
オン・オフセルである第１の基地局は、Ｓ１１０１段階〜Ｓ１１１５段階を行った後、Ｓ１１１７段階でＥＳ補償状態に転換しようとする補償セルを決定することができる。このとき、Ｓ１１０１段階〜Ｓ１１１７段階は、図６のＳ６０１段階〜Ｓ６１７段階と同じである。
【０１９０】
その後、第１の基地局は、ＥＳ補償セルと決定された一つ以上の第２の基地局に、ＥＳ補償セルと決定されたことを知らせるためにＥＳ補償セル指示子メッセージを伝送する（Ｓ１１１９）。
【０１９１】
ＥＳ補償セル指示子メッセージを受信した第２の基地局は、Ｓ１１１３段階でＥＳ候補応答メッセージを伝送した各第３の基地局にＥＳセル指示子メッセージを伝送する。ＥＳセル指示子メッセージ（ＥＳ  ｃｅｌｌ（ｓ）  ｉｎｄｉｃａｔｏｒ  ｍｅｓｓａｇｅ）は、メッセージタイプフィールド（すなわち、ＥＳセル指示子メッセージであることを示す指示子）、ソース基地局のセル識別子、目的基地局のセル識別子などを含むことができる（Ｓ１１２１）。
【０１９２】
ＥＳセル指示子メッセージを受信した各第３の基地局は、自身がＥＳ状態に転換可能なセルであることを認識することができる。したがって、各第３の基地局は、ＥＳ補償状態に転換するオン・オフセルがさらにあるか否かを確認するために各第３の基地局の隣接セル、第３の基地局が属したスモールセルクラスター単位の各スモールセル、又はクラスター内に予め定義された各スモールセルにＥＳ補償候補要請メッセージを伝送することができる（Ｓ１１２３）。
【０１９３】
このとき、ＥＳ補償候補要請メッセージは、図６で説明したメッセージフォーマットにＥＳセル指示子メッセージを伝送した第２の基地局のセル識別子を示すフィールドが含まれる形態で構成することができる。
【０１９４】
また、マルチステップ電力調節のために、第１の基地局は、自身が減少させる伝送電力を決定し、第２の基地局に第１の基地局自身が減少させる伝送電力に対する電力情報、第２の基地局が増加させなければならない伝送電力に対する電力情報及び／又は第３の基地局がＥＳセルとして減少させなければならない伝送電力に対する情報をさらに伝送することができる。そして、第２の基地局は、第３の基地局に自身が増加させる伝送電力に対する電力情報、又は第３の基地局が増加させなければならない伝送電力に対する電力情報をさらに伝送することができる（図示せず）。
【０１９５】
ＥＳ補償候補要請メッセージは、図６で説明したＥＳ補償候補要請メッセージフォーマットにＥＳセル指示子メッセージを伝送した第２の基地局のセル識別子、及び第３の基地局が増加させなければならない伝送電力に対する電力情報がさらに含まれる形態で構成することができる。
【０１９６】
ＥＳ補償候補要請メッセージを受信した一つ以上の第４の基地局のうちＥＳ補償状態に転換可能な各セルは、ＥＳ補償候補応答メッセージを、ＥＳ補償候補要請メッセージを伝送した第３の基地局及び／又はＥＳセル指示子メッセージを伝送した第２の基地局に伝送することができる（Ｓ１１２５ａ、Ｓ１１２５ｂ）。
【０１９７】
補償セルと決定された第２の基地局は、マルチステップ電力調節のために追加的にＥＳ補償状態に転換される第４の基地局からＥＳ補償候補応答メッセージを受信した後、ＥＳ補償状態に転換することができる（Ｓ１１２７ａ）。
【０１９８】
また、第４の基地局は、ＥＳ補償候補応答メッセージを第２の基地局及び第３の基地局に伝送した後、ＥＳ補償状態に転換する（Ｓ１１２７ｂ）。
【０１９９】
ＥＳ補償状態に転換した第２の基地局及び第４の基地局は、ＥＳ状態に転換するオン・オフセルである第１の基地局及び第３の基地局にＥＳ補償完了指示子メッセージを伝送し、ＥＳ補償状態に転換されたことを知らせることができる（Ｓ１１２９ａ、Ｓ１１２９ｂ、Ｓ１１３１ａ、Ｓ１１３１ｂ）。
【０２００】
ＥＳ補償セル指示子メッセージを伝送した第１の基地局は、ＥＳ補償状態に転換した第２の基地局及び第４の基地局からＥＳ補償完了メッセージを受信した後、ＥＳ状態に転換する（Ｓ１１３３ａ）。
【０２０１】
ＥＳ候補要請メッセージを受信した第３の基地局は、ＥＳ候補要請メッセージを伝送した第２の基地局及びＥＳ補償候補応答メッセージを伝送した第４の基地局からＥＳ補償完了指示子メッセージを全て受信した後、ＥＳ状態に転換することができる（Ｓ１１３３ｂ）。
【０２０２】
ＥＳ状態に転換する前に、ＥＳ補償完了指示子メッセージを受信した第１の基地局及び／又は第３の基地局は、それぞれ自身のセル領域にある各端末にＥＳ状態転換メッセージを伝送することができる（図示せず）。
【０２０３】
ＥＳ状態転換メッセージは、メッセージタイプフィールド（ＥＳ状態転換メッセージであることを示す指示子）、ＥＳ状態転換時点を示すタイマー、一つ以上のＥＳ補償セルを示すセルリストなどを含むことができる。また、ＥＳ状態転換メッセージは、ＲＲＣ信号を介して伝送することができる。
【０２０４】
ＥＳ状態転換メッセージを受信した端末は、タイマー情報が示す時点以後にサービングセルである第１の基地局及び／又は第３の基地局がオフになることを認識し、自身のサービングセルからＥＳ補償セルにハンドオーバーを行わなければならないことが分かる。ＥＳ状態に転換する第１の基地局及び第３の基地局は、ＥＳ状態に転換する前に自身のセルをサービングセルとする各端末をＥＳ補償セルにハンドオーバーするように指示することができる。
【０２０５】
図１１では、ＥＳ補償候補要請メッセージを伝送した第３の基地局は、各ＥＳ補償候補セルに隣接した各セル（例えば、隣接セル、第３の基地局が属したスモールセルクラスター単位の各スモールセル、又はクラスター内に既に設定された各スモールセル）のうちＥＳ状態に転換しようとするセルがあるか否かに対する情報を獲得することができる。したがって、第３の基地局は、各ＥＳ補償候補セルのうち実際にＥＳ補償状態に転換する各セルを決定するために上述した本発明の多くの実施例を用いることができる。
【０２０６】
図１２は、マルチステップ電力調節方法としてオン・オフセルが補償セルを決定する方法のうち更に他の一つを示す図である。
【０２０７】
図１２の基本前提は、図１１と同じである。したがって、図１２では、図１１と異なる部分に対してのみ説明することにする。図１２を参照すると、Ｓ１２１１段階で、第２の基地局は、隣近にＥＳ状態に転換するオン・オフセルがさらにあるか否かを確認するためにＥＳ候補要請メッセージを第３の基地局に伝送する。このとき、ＥＳ候補要請メッセージには、ＥＳ補償候補要請メッセージを伝送した第１の基地局（すなわち、ソース基地局）に対する情報を含ませることができる。
【０２０８】
第３の基地局がＥＳ状態に転換すると決定した場合、第３の基地局は、Ｓ１２１３段階でＥＳ候補応答メッセージを第１の基地局に伝送する。第３の基地局がＥＳ状態に転換しないと決定した場合、第３の基地局は、Ｓ１２１３段階でＥＳ候補応答失敗メッセージを第１の基地局に伝送する。
【０２０９】
その後、Ｓ１２１５段階〜Ｓ１２３１段階は、図１１のＳ１１１７段階〜Ｓ１１３３段階と同一であるので、それについての説明は省略する。
【０２１０】
３．具現装置
図１３で説明した装置は、図１〜図１２で説明した各方法が具現され得る手段である。
【０２１１】
端末（ＵＥ：Ｕｓｅｒ  Ｅｑｕｉｐｍｅｎｔ）は、アップリンクでは送信機として動作し、ダウンリンクでは受信機として動作することができる。また、基地局（ｅＮＢ：ｅ―Ｎｏｄｅ  Ｂ）は、アップリンクでは受信機として動作し、ダウンリンクでは送信機として動作することができる。
【０２１２】
すなわち、端末及び基地局は、情報、データ及び／又はメッセージの伝送及び受信を制御するために、それぞれ送信モジュール（Ｔｘ  ｍｏｄｕｌｅ）１３４０、１３５０及び受信モジュール（Ｒｘ  ｍｏｄｕｌｅ）１３５０、１３７０を含むことができ、情報、データ及び／又はメッセージを送受信するためのアンテナ１３００、１３１０などを含むことができる。
【０２１３】
また、端末及び基地局は、それぞれ上述した本発明の各実施例を行うためのプロセッサ（Ｐｒｏｃｅｓｓｏｒ）１３２０、１３３０と、プロセッサの処理過程を臨時的に又は持続的に格納できるメモリ１３８０、１３９０をそれぞれ含むことができる。
【０２１４】
上述した端末及び基地局装置の構成成分及び機能を用いて本願発明の各実施例を行うことができる。例えば、基地局のプロセッサは、上述した１節〜２節に開示した各方法を組み合わせ、ＥＳ補償セルを決定することができる。また、ＥＳ補償セルは、隣近基地局にＥＳ状態に転換するスモールセルがさらにあるか否かを確認する過程を行うことができる。マルチステップ電力調整を行う場合、基地局は、隣近スモールセルのうちＥＳ補償状態に転換する追加的なスモールセルがあるか否かを確認する過程を追加的に行うことができる。
【０２１５】
また、図１３では、端末と基地局に対する装置構成を示したが、該当の装置構成は、各基地局間の装置構成として使用することができる。特に、本願発明の各実施例は、基地局間のＥＳ補償セル決定方式に対して説明しているので、二つ以上の基地局間で本発明の各実施例を行うことができる。詳細な内容は、図６〜図１２で説明した各実施例を参照する。
【０２１６】
端末及び基地局に含まれた送信モジュール及び受信モジュールは、データ伝送のためのパケット変復調機能、高速パケットチャンネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャンネル多重化機能を行うことができる。また、図１３の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに含むことができる。このとき、送信モジュール及び受信モジュールは、それぞれ送信機及び受信機と称することができ、これらが共に使用される場合、トランシーバーと称することができる。
【０２１７】
一方、本発明において、端末としては、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（登録商標）（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ―Ｈｅｌｄ  ＰＣ）、ノートブックＰＣ、スマート（Ｓｍａｒｔ）フォン又はマルチモードマルチバンド（ＭＭ―ＭＢ：Ｍｕｌｔｉ  Ｍｏｄｅ―Ｍｕｌｔｉ  Ｂａｎｄ）端末機などを用いることができる。
【０２１８】
ここで、スマートフォンとは、移動通信端末機と個人携帯端末機の長所を混合した端末機であって、移動通信端末機に個人携帯端末機の機能である日程管理、ファックス送受信及びインターネット接続などのデータ通信機能を統合した端末機を意味することができる。また、マルチモードマルチバンド端末機とは、マルチモデムチップを内蔵し、携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（登録商標）（Ｗｉｄｅｂａｎｄ  ＣＤＭＡ）システムなど）で全て作動し得る端末機を言う。
【０２１９】
本発明の各実施例は、多様な手段を通じて具現することができる。例えば、本発明の各実施例は、ハードウェア、ファームウェア（ｆｉｒｍｗａｒｅ）、ソフトウェア又はそれらの結合などによって具現することができる。
【０２２０】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２２１】
ファームウェアやソフトウェアによる具現の場合、本発明の各実施例に係る方法は、以上で説明した機能又は動作を行うモジュール、手順又は関数などの形態で具現することができる。例えば、ソフトウェアコードは、メモリユニット１３８０、１３９０に格納されてプロセッサ１３２０、１３３０によって駆動され得る。前記メモリユニットは、前記プロセッサの内部又は外部に位置することができ、既に公知の多様な手段によって前記プロセッサとデータを取り交わすことができる。
【０２２２】
本発明は、本発明の精神及び必須特徴から逸脱しない範囲で他の特定の形態に具体化することができる。したがって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。また、特許請求の範囲で明示的な引用関係のない各請求項を結合して実施例を構成したり、出願後の補正によって新たな請求項として含ませることができる。
【産業上の利用可能性】
【０２２３】
本発明の各実施例は、多様な無線接続システムに適用することができる。
【図１】
0006462597.tif 000002
【図２】
0006462597.tif 000003
【図３】
0006462597.tif 000004
【図４】
0006462597.tif 000005
【図５】
0006462597.tif 000006
【図６】
0006462597.tif 000007
【図７】
0006462597.tif 000008
【図８（ａ）】
0006462597.tif 000009
【図８（ｂ）】
0006462597.tif 000010
【図９】
0006462597.tif 000011
【図１０】
0006462597.tif 000012
【図１１】
0006462597.tif 000013
【図１２】
0006462597.tif 000014
【図１３】
0006462597.tif 000015